(57)【要約】【課題】光の利用効率を改善する。【解決手段】液晶表示装置１０は、画像を表示する液晶パネル１１と、液晶パネル１１に備えられて互いに異なる色を呈する複数の画素部３４Ｒ，３４Ｇ，３４Ｂと、複数の画素部３４Ｒ，３４Ｇ，３４Ｂに含まれる青色画素部３４Ｂと同色の単色光を発するＬＥＤ１７と、複数の画素部３４Ｒ，３４Ｇ，３４Ｂに含まれてＬＥＤ１７から発せられる単色光とは異なる色を呈する画素部３４Ｒ，３４Ｇと重畳する形で配されるとともに、ＬＥＤ１７からの単色光を波長変換し、その波長変換した光に、重畳する画素部が呈する色の光が含まれるものとされる波長変換部４２と、を備える。【選択図】図７
2016058586.tif 000002
【特許請求の範囲】
【請求項１】
画像を表示する表示パネルと、
前記表示パネルに備えられて互いに異なる色を呈する複数の画素部と、
複数の前記画素部に含まれるいずれかの前記画素部と同色の単色光を発する光源と、
複数の前記画素部に含まれて前記光源から発せられる単色光とは異なる色を呈する前記画素部と重畳する形で配されるとともに、前記光源からの単色光を波長変換し、その波長変換した光に、重畳する前記画素部が呈する色の光が含まれるものとされる波長変換部と、を備える表示装置。
【請求項２】
前記波長変換部は、励起波長が蛍光波長よりも短波長とされる蛍光体からなるものとされる請求項１記載の表示装置。
【請求項３】
複数の前記画素部には、青色を呈する青色画素部が少なくとも含まれており、
前記光源は、前記青色画素部と同色である青色の単色光を少なくとも発するものとされる請求項２記載の表示装置。
【請求項４】
前記青色画素部と重畳する形で配されて透明な透明部を備える請求項３記載の表示装置。
【請求項５】
前記青色画素部と重畳する形で配されて青色の光を選択的に透過する青色選択性透光部を備える請求項３記載の表示装置。
【請求項６】
複数の前記画素部には、緑色を呈する緑色画素部と赤色を呈する赤色画素部とがそれぞれ少なくとも含まれており、
前記波長変換部には、前記緑色画素部と重畳する形で配されるとともに前記光源からの青色の単色光を緑色の光に波長変換する緑色波長変換部と、前記赤色画素部と重畳する形で配されるとともに前記光源からの青色の単色光を赤色の光に波長変換する赤色波長変換部と、がそれぞれ少なくとも含まれる請求項３から請求項５のいずれか１項に記載の表示装置。
【請求項７】
前記緑色波長変換部と重畳し且つ前記緑色波長変換部に対して出光側に配されて緑色の光を選択的に透過する緑色選択性透光部と、前記赤色波長変換部と重畳し且つ前記赤色波長変換部に対して出光側に配されて赤色の光を選択的に透過する赤色選択性透光部と、を備える請求項６記載の表示装置。
【請求項８】
前記緑色波長変換部及び前記赤色波長変換部のそれぞれと重畳し且つ前記緑色波長変換部及び前記赤色波長変換部のそれぞれに対して出光側に配されて黄色の光を選択的に透過する黄色選択性透光部を備える請求項６記載の表示装置。
【請求項９】
複数の前記画素部には、黄色を呈する黄色画素部が少なくとも含まれており、
前記波長変換部には、前記黄色画素部と重畳する形で配されるとともに前記光源からの青色の単色光を黄色の光に波長変換する黄色波長変換部が少なくとも含まれる請求項６から請求項８のいずれか１項に記載の表示装置。
【請求項１０】
前記波長変換部は、量子ドット蛍光体からなるものとされる請求項１から請求項９のいずれか１項に記載の表示装置。
【請求項１１】
前記表示パネルには、液晶層と、前記液晶層を挟み込む形で配される一対の偏光層と、が少なくとも備えられており、
前記波長変換部は、前記偏光層に対して前記液晶層側とは反対側に配される請求項１から請求項１０のいずれか１項に記載の表示装置。
【請求項１２】
前記表示パネルには、前記液晶層を挟み込む形で配され且つ一対の前記偏光層に対してそれぞれ前記液晶層側に配される一対の基板が備えられており、
一対の前記偏光層のうちのいずれか一方の前記偏光層に対して前記基板側とは反対側に配されるよう取り付けられるとともに前記偏光層側の面に少なくとも前記波長変換部が設けられる支持基板と、前記支持基板と前記偏光層との間に挟み込まれる前記波長変換部を封止する封止部と、が備えられる請求項１１記載の表示装置。
【請求項１３】
前記光源は、ＬＥＤとされる請求項１から請求項１２のいずれか１項に記載の表示装置。
【請求項１４】
画像を表示する表示パネルと、
前記表示パネルに備えられて互いに異なる色を呈する少なくとも３色の画素部と、
少なくとも３色の前記画素部に含まれる２色の前記画素部と同色となる２色の光を発する光源と、
少なくとも３色の前記画素部のそれぞれと重畳する形で配されるとともに、重畳する前記画素部が呈する色の光を選択的に透過する少なくとも３色の波長選択性透光部と、
少なくとも３色の前記画素部に含まれて前記光源から発せられる２色の光とは異なる色を呈する前記画素部と重畳する形で少なくとも配されるとともに、前記光源からの光の少なくとも一部を波長変換し、その波長変換した光に、重畳する前記画素部の呈する色の光が含まれるものとされる波長変換部と、を備える表示装置。
【請求項１５】
請求項１から請求項１４のいずれか１項に記載された表示装置と、テレビ信号を受信可能な受信部とを備えるテレビ受信装置。
【発明の詳細な説明】
【技術分野】
【０００１】
本発明は、表示装置及びテレビ受信装置に関する。
【背景技術】
【０００２】
従来の液晶表示装置の一例として下記特許文献１に記載されたものが知られている。この特許文献１に記載された液晶表示装置は、紫外線を変調する液晶及び液晶を駆動する電極を備える光制御部と、光制御部を通過した紫外線により発光し、紫外線無機蛍光体と量子孤立効果を有する自発光量子ドットを含む発光層とを備えており、それにより、他色に比べて効率が低い発光体、例えば、赤色蛍光体を含む赤色発光体に高効率の量子ドットを含めることにより、発光効率を上げてカラーバランスを改良することができる。
【先行技術文献】
【特許文献】
【０００３】
【特許文献１】特開２００６−３１０３０３号公報
【発明の概要】
【発明が解決しようとする課題】
【０００４】
上記した特許文献１では、ＵＶバックライトからの紫外線を、青色蛍光体、緑色蛍光体、赤色蛍光体、及び量子ドットにより波長変換して各色の光を発する構成であるため、いずれの色の光についても波長変換に伴う損失が生じるのは避けられない。このため、ＵＶバックライトからの光の利用効率が芳しくないという問題があった。特に、高精細化に伴い画素部の開口率が減少する場合に大きな問題となる。
【０００５】
本発明は上記のような事情に基づいて完成されたものであって、光の利用効率を改善することを目的とする。
【課題を解決するための手段】
【０００６】
本発明の第１の表示装置は、画像を表示する表示パネルと、前記表示パネルに備えられて互いに異なる色を呈する複数の画素部と、複数の前記画素部に含まれるいずれかの前記画素部と同色の単色光を発する光源と、複数の前記画素部に含まれて前記光源から発せられる単色光とは異なる色を呈する前記画素部と重畳する形で配されるとともに、前記光源からの単色光を波長変換し、その波長変換した光に、重畳する前記画素部が呈する色の光が含まれるものとされる波長変換部と、を備える。
【０００７】
このような構成によれば、表示パネルに備えられて互いに異なる色を呈する複数の画素部のうち、光源から発せられる単色光とは異なる色を呈する画素部においては、波長変換部により上記単色光が波長変換されることで、その画素部の透過光に当該画素部が呈する色の光が含まれるものとされる。一方、複数の画素部のうち、光源から発せられる単色光と同色を呈する画素部においては、光源からの単色光が波長変換部によって波長変換されることなく透過することになる。つまり、光源から発せられた単色光は、それと同色の画素部を透過するに際して波長変換に伴う損失が生じることが避けられている。これにより、光源から発せられる光の利用効率が向上する。
【０００８】
本発明の第１の表示装置の実施態様として、次の構成が好ましい。
（１）前記波長変換部は、励起波長が蛍光波長よりも短波長とされる蛍光体からなるものとされる。このように波長変換部としていわゆるダウンコンバージョン型の蛍光体を用いるようにすれば、仮にアップコンバージョン型の蛍光体（励起波長が蛍光波長よりも長波長とされる蛍光体）を用いた場合に比べると、波長変換効率がより高いものとなるので、輝度の向上などを図る上でより好適とされる。
【０００９】
（２）複数の前記画素部には、青色を呈する青色画素部が少なくとも含まれており、前記光源は、前記青色画素部と同色である青色の単色光を少なくとも発するものとされる。このようにすれば、青色画素部においては、光源から発せられた青色の単色光が波長変換部によって波長変換されることなく透過することになるので、光源から発せられる青色の単色光の利用効率が高いものとされる。しかも、光源から発せられる青色の単色光は、可視光線の中では高いエネルギーを有していることから、複数の画素部のうち、青色以外の色を呈する画素部においては、高いエネルギーとされる光源からの青色光を波長変換部により波長変換して得られた長波長の光が透過されることになるので、青色以外の色を呈する画素部の透過光に係る輝度が十分に高いものとなる。
【００１０】
（３）前記青色画素部と重畳する形で配されて透明な透明部を備える。このようにすれば、青色画素部と重畳する透明部を、光源から発せられた青色の光が透過することで、青色画素部の透過光に係る輝度がより向上する。
【００１１】
（４）前記青色画素部と重畳する形で配されて青色の光を選択的に透過する青色選択性透光部を備える。このようにすれば、青色画素部と重畳する青色選択性透光部を、光源から発せられた青色の光が透過することで、青色画素部の透過光に係る色純度がより向上する。
【００１２】
（５）複数の前記画素部には、緑色を呈する緑色画素部と赤色を呈する赤色画素部とがそれぞれ少なくとも含まれており、前記波長変換部には、前記緑色画素部と重畳する形で配されるとともに前記光源からの青色の単色光を緑色の光に波長変換する緑色波長変換部と、前記赤色画素部と重畳する形で配されるとともに前記光源からの青色の単色光を赤色の光に波長変換する赤色波長変換部と、がそれぞれ少なくとも含まれる。このようにすれば、緑色画素部及び赤色画素部においては、可視光線の中でも高いエネルギーとされる光源からの青色光を、波長変換部により波長変換した長波長の光である緑色の光及び赤色の光がそれぞれ透過されることになるので、緑色画素部及び赤色画素部の透過光に係る輝度がそれぞれ十分に高いものとなる。
【００１３】
（６）前記緑色波長変換部と重畳し且つ前記緑色波長変換部に対して出光側に配されて緑色の光を選択的に透過する緑色選択性透光部と、前記赤色波長変換部と重畳し且つ前記赤色波長変換部に対して出光側に配されて赤色の光を選択的に透過する赤色選択性透光部と、を備える。このようにすれば、緑色波長変換部にて波長変換された緑色の光がその出光側に重畳配置された緑色選択性透光部を透過することで、緑色画素部の透過光に係る色純度がより向上する。赤色波長変換部にて波長変換された赤色の光がその出光側に重畳配置された赤色選択性透光部を透過することで、赤色画素部の透過光に係る色純度がより向上する。
【００１４】
（７）前記緑色波長変換部及び前記赤色波長変換部のそれぞれと重畳し且つ前記緑色波長変換部及び前記赤色波長変換部のそれぞれに対して出光側に配されて黄色の光を選択的に透過する黄色選択性透光部を備える。このようにすれば、黄色選択性透光部は、黄色の光、つまり緑色の光及び赤色の光をそれぞれ選択的に透過するものとされる。従って、緑色波長変換部にて波長変換された緑色の光、及び赤色波長変換部にて波長変換された赤色の光は、その出光側にそれぞれ重畳配置された黄色選択性透光部をそれぞれ透過することで、緑色画素部及び赤色画素部におけるそれぞれの透過光に係る色純度がより向上する。
【００１５】
（８）複数の前記画素部には、黄色を呈する黄色画素部が少なくとも含まれており、前記波長変換部には、前記黄色画素部と重畳する形で配されるとともに前記光源からの青色の単色光を黄色の光に波長変換する黄色波長変換部が少なくとも含まれる。このようにすれば、黄色画素部においては、可視光線の中でも高いエネルギーとされる光源からの青色光を、波長変換部により波長変換された長波長の光である黄色の光が透過されることになるので、黄色画素部の透過光に係る輝度が十分に高いものとなる。しかも、青色画素部、緑色画素部、及び赤色画素部に黄色画素部を加えることで、表示パネルの出射光に係る色度領域がさらに拡張されるので、表示される画像に係る色再現性により優れる。
【００１６】
（９）前記波長変換部は、量子ドット蛍光体からなるものとされる。このように波長変換部として量子ドット蛍光体を用いるようにすれば、波長変換された光の色純度が優れたものとなるので、光源から発せられる単色光とは異なる色を呈する画素部の透過光に係る色純度がより高いものとなる。
【００１７】
（１０）前記表示パネルには、液晶層と、前記液晶層を挟み込む形で配される一対の偏光層と、が少なくとも備えられており、前記波長変換部は、前記偏光層に対して前記液晶層側とは反対側に配される。このようにすれば、一方の偏光層を透過して偏光状態が整えられた光は、液晶層を透過した後に他方の偏光層を透過するものとされ、その途中で波長変換部を経ることがないものとされる。従って、光源から発せられる単色光が波長変換部にて波長変換される際に無偏光化された場合でも、一対の偏光層及び液晶層を透過する光の偏光状態が乱されることが避けられる。これにより、液晶層の配向状態を制御することで、各画素部の透過光量を適切に制御することができる。
【００１８】
（１１）前記表示パネルには、前記液晶層を挟み込む形で配され且つ一対の前記偏光層に対してそれぞれ前記液晶層側に配される一対の基板が備えられており、一対の前記偏光層のうちのいずれか一方の前記偏光層に対して前記基板側とは反対側に配されるよう取り付けられるとともに前記偏光層側の面に少なくとも前記波長変換部が設けられる支持基板と、前記支持基板と前記偏光層との間に挟み込まれる前記波長変換部を封止する封止部と、が備えられる。このようにすれば、支持基板は、一対の偏光層のうちのいずれか一方の偏光層に対して基板側とは反対側に配されるよう取り付けられており、その支持基板における偏光層側の面に設けられた波長変換部は、支持基板と偏光層との間に挟み込まれるとともに封止部によって封止されている。これにより、波長変換部が湿気などの影響によって性能劣化する事態を避けることができる。
【００１９】
（１２）前記光源は、ＬＥＤとされる。このようにすれば、光源から高い色純度の単色光が発せられる。これにより、表示パネルに表示される画像の色再現性を向上させることができる。
【００２０】
次に、本発明の第２の表示装置は、画像を表示する表示パネルと、前記表示パネルに備えられて互いに異なる色を呈する少なくとも３色の画素部と、少なくとも３色の前記画素部に含まれる２色の前記画素部と同色となる２色の光を発する光源と、少なくとも３色の前記画素部のそれぞれと重畳する形で配されるとともに、重畳する前記画素部が呈する色の光を選択的に透過する少なくとも３色の波長選択性透光部と、少なくとも３色の前記画素部に含まれて前記光源から発せられる２色の光とは異なる色を呈する前記画素部と重畳する形で少なくとも配されるとともに、前記光源からの光の少なくとも一部を波長変換し、その波長変換した光に、重畳する前記画素部の呈する色の光が含まれるものとされる波長変換部と、を備える。
【００２１】
このような構成によれば、光源から発せられた２色の光は、表示パネルに備えられて互いに異なる色を呈する少なくとも３色の画素部のうち、少なくとも光源から発せられる２色の光とは異なる色を呈する画素部においては、波長変換部により上記光の少なくとも一部が波長変換されることで、その画素部の透過光に当該画素部が呈する色の光が含まれるものとされる。ここで、光源から発せられる２色の光に、波長変換部により波長変換されない光が含まれていた場合は、その光が、光源から発せられる２色の光とは異なる色を呈する画素部と重畳する波長選択性透光部によって吸収されることで、当該画素部の透過光に係る色純度が高く保たれる。
【００２２】
一方、少なくとも３色の画素部のうち、光源から発せられる２色の光と同色を呈する２色の画素部に関しては、一方の画素部においては、その一方の画素部と重畳する波長選択性透光部によって他方の画素部が呈する色の光が吸収されることで、一方の画素部の透過光に係る色純度が高く保たれる。これに対し、他方の画素部においては、その他方の画素部と重畳する波長選択性透光部によって一方の画素部が呈する色の光が吸収されることで、他方の画素部の透過光に係る色純度が高く保たれる。このように、光源から発せられる２色の光と同色を呈する２色の画素部においては、それぞれ波長選択性透光部によって異なる色の光が吸収されるようになっているから、仮に白色光を発する光源を用いて波長選択性透光部によって各画素部が呈する色とは異なる色の光を全て吸収するようにした場合に比べると、光の損失が低いものとなり、もって光の利用効率が向上する。
【００２３】
次に、本発明のテレビ受信装置は、上記記載の表示装置と、テレビ信号を受信可能な受信部とを備える。このようなテレビ受信装置によれば、高輝度なテレビ画像を表示することができ、また低消費電力化にも好適とされる。
【発明の効果】
【００２４】
本発明によれば、光の利用効率を改善することができる。
【図面の簡単な説明】
【００２５】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるバックライト装置におけるシャーシと導光板とＬＥＤ基板との配置構成を示す平面図
【図４】図３のiv-iv線断面図
【図５】ＬＥＤ及びＬＥＤ基板の断面図
【図６】液晶パネル及び波長変換パネルの概略的な断面構成を示す断面図
【図７】液晶パネル及び波長変換パネルを長辺方向に沿って切断した断面構成を示す断面図
【図８】アレイ基板の平面構成を示す拡大平面図
【図９】波長変換パネルの平面構成を示す拡大平面図
【図１０】ＬＥＤの発光スペクトルと、波長変換部を構成する各色の蛍光体層に含まれる各蛍光体の発光スペクトルと、を示すグラフ
【図１１】本発明の実施形態２に係る液晶パネル及び波長変換パネルを長辺方向に沿って切断した断面構成を示す断面図
【図１２】ＬＥＤの発光スペクトルと、波長変換部を構成する各色の蛍光体層に含まれる各蛍光体の発光スペクトルと、カラーフィルタを構成する各色の着色層の透過スペクトルと、を示すグラフ
【図１３】本発明の実施形態３に係る液晶パネル及び波長変換パネルを長辺方向に沿って切断した断面構成を示す断面図
【図１４】ＬＥＤの発光スペクトルと、波長変換部を構成する各色の蛍光体層に含まれる各蛍光体の発光スペクトルと、カラーフィルタを構成する黄色着色層の透過スペクトルと、を示すグラフ
【図１５】本発明の実施形態４に係るテレビ受信装置の概略構成を示す分解斜視図
【図１６】液晶パネル及び波長変換パネルを長辺方向に沿って切断した断面構成を示す断面図
【図１７】ＬＥＤの発光スペクトルと、波長変換部を構成する各色の蛍光体層に含まれる各蛍光体の発光スペクトルと、を示すグラフ
【図１８】本発明の実施形態５に係る液晶表示装置の概略構成を示す分解斜視図
【図１９】バックライト装置の平面図
【図２０】液晶表示装置を長辺方向に沿って切断した断面構成を示す断面図
【図２１】液晶表示装置を短辺方向に沿って切断した断面構成を示す断面図
【図２２】ＬＥＤ、ＬＥＤ基板、及び拡散レンズの断面構成を示す断面図
【図２３】本発明の実施形態６に係るレーザダイオード、ＬＤ基板、及び拡散レンズの断面構成を示す断面図
【図２４】本発明の実施形態７に係る液晶パネルの概略的な断面構成を示す断面図
【図２５】液晶パネルを長辺方向に沿って切断した断面構成を示す断面図
【図２６】本発明の実施形態８に係る液晶パネル及び波長変換パネルを長辺方向に沿って切断した断面構成を示す断面図
【図２７】本発明の実施形態９に係る液晶パネル及び波長変換パネルを長辺方向に沿って切断した断面構成を示す断面図
【図２８】本発明の実施形態１０に係る液晶パネル及び波長変換パネルを長辺方向に沿って切断した断面構成を示す断面図
【図２９】本発明の実施形態１１に係る液晶パネル及び波長変換パネルを長辺方向に沿って切断した断面構成を示す断面図
【図３０】本発明の実施形態１２に係る液晶パネル及び波長変換パネルを長辺方向に沿って切断した断面構成を示す断面図
【図３１】本発明の実施形態１３に係るＭＥＭＳ表示装置の断面図
【図３２】本発明の実施形態１４に係るＬＥＤ及びＬＥＤ基板の断面図
【図３３】本発明の実施形態１５に係るＬＥＤ及びＬＥＤ基板の断面図
【発明を実施するための形態】
【００２６】
＜実施形態１＞
本発明の実施形態１を図１から図１０によって説明する。本実施形態では、液晶表示装置１０について例示する。なお、各図面の一部にはＸ軸、Ｙ軸及びＺ軸を示しており、各軸方向が各図面で示した方向となるように描かれている。また、図４，図６，図７に示す上側を表側とし、同図下側を裏側とする。
【００２７】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓとを備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、バックライト装置１２からの光を波長変換する波長変換パネル４０と、を備え、これらが枠状のベゼル１３などにより一体的に保持されるようになっている。
【００２８】
先に、バックライト装置１２について説明する。バックライト装置１２は、図２に示すように、表側、つまり光出射側（液晶パネル１１側）に開口する光出射部１４ｃを有した略箱型をなすシャーシ１４と、シャーシ１４の光出射部１４ｃを覆う形で配される光学部材１５と、次述する導光板１９を表側から押さえるフレーム１６と、を備えている。さらにはシャーシ１４内には、光源であるＬＥＤ（Light Emitting Diode：発光ダイオード）１７が実装されたＬＥＤ基板（光源基板）１８と、ＬＥＤ１７からの光を導光して光学部材１５（液晶パネル１１、光出射側）へと導く導光板１９と、が収容されている。そして、このバックライト装置１２は、その長辺側の両端部に、ＬＥＤ１７を有するＬＥＤ基板１８が対をなす形で配されており、これら対をなすＬＥＤ基板１８によって導光板１９をその短辺方向（Ｙ軸方向、列方向）の両側方から挟み込んでいる。各ＬＥＤ基板１８に実装されたＬＥＤ１７は、液晶パネル１１における長辺側の各端部寄りに偏在するとともに、その端部に沿う方向、つまり長辺方向（Ｘ軸方向、行方向）に沿って複数ずつが間隔を空けて（間欠的に）並んで配されている。このように、本実施形態に係るバックライト装置１２は、いわゆるエッジライト型（サイドライト型）とされており、点状光源であるＬＥＤ１７からの点状の光を面状の光に変換して液晶パネル１１へと供給することが可能とされる。以下では、バックライト装置１２の各構成部品について詳しく説明する。
【００２９】
シャーシ１４は、例えばアルミニウム板や電気亜鉛めっき綱板（ＳＥＣＣ）などの金属板からなり、図２から図４に示すように、液晶パネル１１と同様に横長の方形状をなす底板１４ａと、底板１４ａにおける各辺（一対の長辺及び一対の短辺）の外端からそれぞれ表側に向けて立ち上がる側板１４ｂとからなる。シャーシ１４（底板１４ａ）は、その長辺方向がＸ軸方向と一致し、短辺方向がＹ軸方向と一致している。底板１４ａの裏側には、図示しないコントロール基板やＬＥＤ駆動回路基板などの基板類が取り付けられている。また、側板１４ｂには、フレーム１６及びベゼル１３がねじ止め可能とされる。
【００３０】
光学部材１５は、図２に示すように、液晶パネル１１及びシャーシ１４と同様に平面に視て横長の方形状をなしている。光学部材１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学部材１５は、互いに積層される複数枚（本実施形態では３枚）のシート状の部材からなるものとされる。具体的な光学部材（光学シート）１５の種類としては、例えば拡散シート、レンズシート、反射型偏光シートなどがあり、これらの中から適宜に選択して使用することが可能である。なお、図４では、都合上３枚の光学部材１５を１枚に簡略化して図示している。
【００３１】
フレーム１６は、図２に示すように、導光板１９の外周端部に沿って延在する枠状（額縁状）に形成されており、導光板１９の外周端部をほぼ全周にわたって表側から押さえることが可能とされる。このフレーム１６は、合成樹脂製とされるとともに、表面が例えば黒色を呈する形態とされることで、遮光性を有するものとされる。フレーム１６のうち両長辺部分における裏側の面、つまり導光板１９及びＬＥＤ基板１８（ＬＥＤ１７）との対向面には、図４に示すように、光を反射させるフレーム側反射シート１６Ｒがそれぞれ取り付けられている。フレーム側反射シート１６Ｒは、フレーム１６の長辺部分におけるほぼ全長にわたって延在する大きさを有しており、導光板１９におけるＬＥＤ１７と対向状をなす端部に直接当接されるとともに導光板１９の上記端部とＬＥＤ基板１８とを一括して表側から覆うものとされる。また、フレーム１６は、液晶パネル１１における外周端部を裏側から受けることができる。
【００３２】
ＬＥＤ１７は、図２及び図４に示すように、ＬＥＤ基板１８上に表面実装されるとともにその発光面１７ａがＬＥＤ基板１８側とは反対側を向いた、いわゆる頂面発光型とされている。詳しくは、ＬＥＤ１７は、図５に示すように、発光源である青色ＬＥＤ素子（青色発光素子、青色ＬＥＤチップ）３５と、青色ＬＥＤ素子３５を封止する封止材（透光性樹脂材料）３６と、青色ＬＥＤ素子３５が収容されるとともに封止材３６が充填されるケース（収容体、筐体）３７と、を備える。このＬＥＤ１７は、青色の単色光を発する青色ＬＥＤとされている。以下、図５を参照しつつＬＥＤ１７の構成部品について順次に詳しく説明する。
【００３３】
青色ＬＥＤ素子３５は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子３５の発光光と同色の単色光とされる。この青色ＬＥＤ素子３５は、図示しないリードフレームによってケース３７外に配されたＬＥＤ基板１８における配線パターンに接続される。封止材３６は、ＬＥＤ１７の製造工程では青色ＬＥＤ素子３５が収容されたケース３７の内部空間に充填されることで、青色ＬＥＤ素子３５及びリードフレームを封止するとともにこれらの保護を図るものとされる。封止材３６は、ほぼ透明な熱硬化性樹脂材料（例えば、エポキシ樹脂材料、シリコーン樹脂材料など）からなるものとされる。
【００３４】
青色ＬＥＤ素子３５は、図１０に示すように、ピーク波長が４４０ｎｍ±２ｎｍ〜４５０ｎｍ±２ｎｍの範囲となるピークを含み且つその半値幅（半値全幅）が２５ｎｍ未満とされる発光スペクトルの青色の光を発光するものとされる。より詳しくは、青色ＬＥＤ素子３５は、青色の光の発光スペクトルに含まれるピークのピーク波長が上記波長範囲の中の４４４ｎｍ±２ｎｍとされ且つピークの半値幅が１８ｎｍ程度とされるのが好ましい。このように、青色ＬＥＤ素子３５から発せられる青色光は、発光スペクトルのピークにおける半値幅が十分に狭くて色純度が高く且つ輝度が十分に高いものとされる。ここで言う発光スペクトルの「ピーク」とは、発光スペクトルの中の山状部分のことを指し、「ピーク波長」とは、上記山状部分の中の頂点における波長のことを指す。なお、図１０には、青色ＬＥＤ素子３５の発光スペクトルが示されており、同図の横軸が光の波長とされ、同図の縦軸が青色ＬＥＤ素子３５の相対的な発光強度（無単位）とされている。
【００３５】
ケース３７は、表面が光の反射性に優れた白色を呈する合成樹脂材料（例えばポリアミド系樹脂材料）またはセラミック材料からなる。ケース３７は、全体として光出射側（発光面１７ａ側、ＬＥＤ基板１８側とは反対側）に開口部３７ｃを有する略箱型をなしており、大まかにはＬＥＤ基板１８の実装面に沿って延在する底壁部３７ａと、底壁部３７ａの外縁から立ち上がる側壁部３７ｂとを有している。このうち底壁部３７ａは、正面（光出射側）から視て方形状をなしているのに対し、側壁部３７ｂは、底壁部３７ａの外周縁に沿う略角筒状をなしていて正面から視ると方形の枠状をなしている。ケース３７を構成する底壁部３７ａの内面（底面）には、青色ＬＥＤ素子３５が配置されている。これに対して側壁部３７ｂには、リードフレームが貫通されている。リードフレームのうち、ケース３７内に配される端部が青色ＬＥＤ素子３５に接続されるのに対し、ケース３７外に導出される端部がＬＥＤ基板１８の配線パターンに接続される。
【００３６】
上記したＬＥＤ１７が複数実装されるＬＥＤ基板１８は、図２から図４に示すように、シャーシ１４の長辺方向（液晶パネル１１及び導光板１９におけるＬＥＤ１７側の端部、Ｘ軸方向）に沿って延在する、長手の板状をなしており、その板面をＸ軸方向及びＺ軸方向に並行させた姿勢、すなわち液晶パネル１１及び導光板１９（光学部材１５）の板面と直交させた姿勢でシャーシ１４内に収容されている。つまり、このＬＥＤ基板１８は、板面における長辺方向がＸ軸方向と、短辺方向がＺ軸方向とそれぞれ一致し、さらには板面と直交する板厚方向がＹ軸方向と一致した姿勢とされる。ＬＥＤ基板１８は、Ｙ軸方向について導光板１９を挟んだ位置に対をなす形で配されており、詳しくは導光板１９とシャーシ１４における長辺側の各側板１４ｂとの間に介在するようそれぞれ配され、シャーシ１４に対してはＺ軸方向に沿って表側から収容されるようになっている。各ＬＥＤ基板１８は、ＬＥＤ１７が実装される実装面１８ａとは反対側の板面がシャーシ１４における長辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸がＹ軸方向（液晶パネル１１の板面に並行する方向）とほぼ一致する。
【００３７】
ＬＥＤ基板１８の板面のうち、内側を向いた板面は、図２から図４に示すように、導光板１９の長辺側の端面（後述する光入射面１９ｂ）と対向状をなしており、当該板面には、複数（図３では２０個）のＬＥＤ１７がＬＥＤ基板１８の長辺方向（液晶パネル１１及び導光板１９の長辺方向、Ｘ軸方向）に沿って間隔を空けて並んで配されている。各ＬＥＤ１７は、ＬＥＤ基板１８における導光板１９側を向いた板面（導光板１９との対向面）に表面実装されており、ここが実装面１８ａとされている。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が同じく図示しない配線部材などを介して電気的に接続されることで、各ＬＥＤ１７に駆動電力を供給することが可能とされる。このＬＥＤ基板１８は、板面の片面のみが実装面１８ａとされる片面実装タイプとされている。また、Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００３８】
導光板１９は、屈折率が空気よりも十分に高く且つほぼ透明な（透光性に優れた）合成樹脂材料（例えばＰＭＭＡなどのアクリル樹脂など）からなる。導光板１９は、図２及び図３に示すように、液晶パネル１１及びシャーシ１４の底板１４ａと同様に平面に視て横長の方形状をなす平板状とされることで、Ｘ軸方向及びＹ軸方向に沿う端面を４つ有するとともに、板面が液晶パネル１１及び光学部材１５の各板面と対向状をなしつつ並行している。導光板１９は、その板面における長辺方向がＸ軸方向と、短辺方向がＹ軸方向とそれぞれ一致し、且つ板面と直交する板厚方向（板面の法線方向）がＺ軸方向と一致している。導光板１９は、図４に示すように、シャーシ１４内において液晶パネル１１及び光学部材１５の直下位置に配されており、その外周端面のうちの長辺側の一対の端面がシャーシ１４における長辺側の両端部に配された対をなすＬＥＤ基板１８及びそこに実装された各ＬＥＤ１７とそれぞれ対向状をなしている。従って、ＬＥＤ１７（ＬＥＤ基板１８）と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を長辺側の端面から導入するとともに、その光を内部で伝播させつつ光学部材１５側（表側、光出射側）へ向くよう立ち上げて板面から出射させる機能を有する。
【００３９】
平板状をなす導光板１９の板面のうち、表側を向いた板面（液晶パネル１１や光学部材１５との対向面）は、図３及び図４に示すように、内部の光を表側、つまり光学部材１５及び液晶パネル１１側に向けて出射させる光出射面１９ａとなっている。導光板１９における板面に対して隣り合う外周端面のうち、Ｘ軸方向（複数のＬＥＤ１７の並び方向、ＬＥＤ基板１８の長辺方向）に沿って長手状をなす一対の長辺側の端面は、それぞれＬＥＤ１７（ＬＥＤ基板１８）と所定の空間を空けて対向状をなしており、これらＬＥＤ１７から発せられた光が入射される一対の光入射面１９ｂとなっている。このＬＥＤ１７と光入射面１９ｂとの間に保有される空間の表側には、既述したフレーム側反射シート１６Ｒが配されているのに対し、同空間の裏側には、フレーム側反射シート１６Ｒとの間で同空間を挟み込む形で第１シャーシ側反射シート１４Ｒ１が配されている。両反射シート１４Ｒ１，１６Ｒは、上記空間に加えて導光板１９におけるＬＥＤ１７側の端部及びＬＥＤ１７をも挟み込む形で配されている。これにより、ＬＥＤ１７からの光を両反射シート１４Ｒ１，１６Ｒ間で繰り返し反射することで、光入射面１９ｂに対して効率的に入射させることができる。また、光入射面１９ｂは、Ｘ軸方向及びＺ軸方向に沿って並行する面とされ、光出射面１９ａに対して略直交する面とされる。また、ＬＥＤ１７と光入射面１９ｂとの並び方向は、Ｙ軸方向と一致しており、光出射面１９ａに並行している。
【００４０】
導光板１９の板面のうち、光出射面１９ａとは反対側の板面１９ｃには、図４に示すように、導光板１９内の光を反射して表側へ立ち上げることが可能な第２シャーシ側反射シート１４Ｒ２がその全域を覆う形で設けられている。言い換えると、第２シャーシ側反射シート１４Ｒ２は、シャーシ１４の底板１４ａと導光板１９との間に挟まれた形で配されている。なお、導光板１９における光出射面１９ａと反対側の板面１９ｃと、第２シャーシ側反射シート１４Ｒ２の表面との少なくともいずれか一方には、導光板１９内の光を散乱反射させる光反射部（図示せず）などが所定の面内分布を持つようパターニングされており、それにより光出射面１９ａからの出射光が面内において均一な分布となるよう制御されている。
【００４１】
次に、液晶パネル１１及び波長変換パネル４０について説明する。液晶パネル１１は、図４に示すように、波長変換パネル４０に対して表側に重なる形で配されている。波長変換パネル４０は、Ｚ軸方向について液晶パネル１１とバックライト装置１２との間に挟み込まれる形で配されており、液晶パネル１１の裏面側に貼り合わせられることでその取り付けがなされている。
【００４２】
液晶パネル１１は、図６に示すように、一対の透明な（透光性を有する）ガラス製の基板２０，２１と、両基板２０，２１の間に介在するとともに電界印加に伴って光学特性が変化する物質である液晶材料を含む液晶層２２と、液晶層２２を取り囲む形で両基板２０，２１の外周端部間に介在するとともに液晶層２２を封止するシール部（封止部）２３と、を少なくとも備える。液晶パネル１１を構成する両基板２０，２１のうち裏側（バックライト装置１２側、波長変換パネル４０側）に配されるものが、アレイ基板（基板、アクティブマトリクス基板）２０とされ、表側（光出射側）に配されるものが、対向基板（基板）２１とされている。アレイ基板２０及び対向基板２１は、平面に視て横長の方形状をなしており、その長辺方向がＸ軸方向と、短辺方向がＹ軸方向とそれぞれ一致している。両基板２０，２１の外面側には、表裏一対の偏光板（偏光層）２９，３０がそれぞれ貼り付けられている。これら一対の偏光板２９，３０は、偏光方向が互いに直交する（９０°異なる）、いわゆるクロスニコル配置とされている。つまり、この液晶パネル１１は、非通電時（後述する画素電極２５に電圧が印加されていないとき）に透過率が最小で黒表示となるノーマリーブラックモードとされる。なお、図６では、液晶パネル１１に関して、次述するＴＦＴ２４、画素電極２５、対向電極３１、及び配向膜２８，３２などの図示を省略している。
【００４３】
アレイ基板２０における内面側（液晶層２２側、対向基板２１との対向面側）には、図８に示すように、３つの電極２４ａ〜２４ｃを有するスイッチング素子であるＴＦＴ（Thin Film Transistor）２４及び画素電極２５がアレイ基板２０の板面に沿って行列状（マトリクス状）に多数個ずつ並んで設けられるとともに、これらＴＦＴ２４及び画素電極２５の周りには、格子状をなすゲート配線２６及びソース配線２７が取り囲むようにして配設されている。画素電極２５は、ＩＴＯ（Indium Tin Oxide）などの透明導電膜からなり、平面に視て縦長の方形状をなしている。ゲート配線２６及びソース配線２７は、共に金属膜からなる。ゲート配線２６とソース配線２７とがそれぞれＴＦＴ２４のゲート電極２４ａとソース電極２４ｂとに接続され、画素電極２５がドレイン配線（図示せず）を介してＴＦＴ２４のドレイン電極２４ｃに接続されている。アレイ基板２０には、ゲート配線２６に並行するとともに画素電極２５に対して平面に視て重畳する容量配線（補助容量配線、蓄積容量配線、Ｃｓ配線）３３が設けられている。容量配線３３は、Ｙ軸方向についてゲート配線２６と交互に配されている。ゲート配線２６がＹ軸方向に隣り合う画素電極２５の間に配されているのに対し、容量配線３３は、各画素電極２５におけるＹ軸方向のほぼ中央部を横切る位置に配されている。このアレイ基板２０の端部には、ゲート配線２６及び容量配線３３から引き回された端子部及びソース配線２７から引き回された端子部が設けられており、これらの各端子部には、図示しないコントロール基板から各信号または基準電位が入力されるようになっており、それにより行列状に並列配置された各ＴＦＴ２４の駆動が個別に制御される。また、アレイ基板２０の内面側には、液晶層２２に含まれる液晶分子を配向させるための配向膜２８が形成されている（図７）。
【００４４】
一方、対向基板２１における内面側（液晶層２２側、アレイ基板２０との対向面側）には、図７及び図８に示すように、アレイ基板２０側の画素電極２５と対向する対向電極３１が設けられている。対向電極３１は、画素電極２５と同様にＩＴＯ（Indium Tin Oxide）などの透明導電膜からなるとともにベタ状のパターンとして形成されている。また、対向基板２１の内面側には、対向電極３１の内側に重なる形で液晶層２２に含まれる液晶分子を配向させるための配向膜３２がそれぞれ形成されている。
【００４５】
そして、当該液晶パネル１１においては、図７に示すように、Ｘ軸方向に沿って並ぶ３つの画素電極２５が、互いに異なる色を呈する３色の画素部３４Ｒ，３４Ｇ，３４Ｂを構成しており、さらにこれら３色の画素部３４Ｒ，３４Ｇ，３４Ｂによって表示単位である１つの表示画素３４が構成されている。表示画素３４は、赤色を呈する赤色画素部３４Ｒと、緑色を呈する緑色画素部３４Ｇと、青色を呈する青色画素部３４Ｂと、からなる。従って、バックライト装置１２のＬＥＤ１７が発する青色の単色光は、青色画素部３４Ｂが呈する青色と同色となっている、と言える。これら各色の画素部３４Ｒ，３４Ｇ，３４Ｂは、液晶パネル１１の板面において行方向（Ｘ軸方向）に沿って繰り返し並べて配されることで、画素群を構成しており、この画素群が列方向（Ｙ軸方向）に沿って多数並んで配されている。これにより、表示画素３４は、両基板２０，２１の板面、つまり表示面（Ｘ軸方向及びＹ軸方向）に沿って多数ずつマトリクス状に並列配置されている。
【００４６】
波長変換パネル４０は、平面に視た大きさが液晶パネル１１と同等とされる略板状をなしており、図６及び図７に示すように、ほぼ透明なガラス製の支持基板４１と、支持基板４１の表側に重なる形で配される波長変換部４２と、支持基板４１の表側に重なる形で配されるとともに波長変換部４２に対して隣り合う形で配される透明部（全可視光線透過部）４３と、支持基板４１の表側に重なる形で配されるとともに混色を防ぐための遮光部（ブラックマトリクス）４４と、少なくとも波長変換部４２及び透明部４３を取り囲む形で配されてこれら波長変換部４２及び透明部４３を封止するシール部（封止部）４５と、を少なくとも備えてなる。波長変換パネル４０に備えられる波長変換部４２、透明部４３、及び遮光部４４は、液晶パネル１１における裏側の偏光板３０と支持基板４１との間に挟み込まれるものとされる。なお、図６では、波長変換パネル４０に関して、波長変換部４２及び透明部４３の図示を簡略化するとともに、遮光部４４の図示を省略している。
【００４７】
支持基板４１は、図６に示すように、平面に視た大きさが液晶パネル１１を構成するガラス基板と同等の大きさとされるほぼ透明な（優れた透光性を有する）ガラス製の板材からなるものとされるとともに、一定の板厚を有することで、波長変換部４２、透明部４３、及び遮光部４４の平坦性を確保するのに十分な剛性を備えている。支持基板４１の板面は、液晶パネル１１の板面（表示面）に対してほぼ平行とされる。シール部４５は、液晶パネル１１と支持基板４１とにおける外周端部の間に介在する形で配されることで、裏側の偏光板２９と支持基板４１との間に挟み込まれる波長変換部４２及び透明部４３を封止している。これにより、外部の水分が液晶パネル１１と支持基板４１との間に浸入するのが防がれるので、波長変換部４２及び透明部４３が湿気などにより性能劣化し難いものとされている。
【００４８】
波長変換部４２及び透明部４３は、図７に示すように、液晶パネル１１及びバックライト装置１２に対して平面に視て重畳するとともに、液晶パネル１１に対して裏側、つまりバックライト装置１２側に配されている。つまり、波長変換部４２及び透明部４３は、液晶パネル１１及びバックライト装置１２の重なり方向であるＺ軸方向について液晶パネル１１とバックライト装置１２との間に挟み込まれる形で配されている。言い換えると、波長変換部４２及び透明部４３は、液晶パネル１１よりも光の供給源であるバックライト装置１２の近くに配されている。より詳しくは、波長変換部４２及び透明部４３は、液晶パネル１１のうち裏側の偏光板２９に対して裏側、つまりアレイ基板２０側（液晶層２２側）とは反対側に重なる形で配されており、一対の偏光板２９，３０により挟まれる液晶パネル１１の内部空間の外部に配置されている。
【００４９】
波長変換部４２は、図７に示すように、赤色の光と緑色の光とをそれぞれ発する２色の蛍光体層（波長変換層）４２Ｒ，４２Ｇからなるものとされる。波長変換部４２を構成する各蛍光体層４２Ｒ，４２Ｇは、各色に属する特定の波長領域とは異なる波長領域の光を、各色に属する特定の波長領域の可視光線に波長変換するものであり、具体的にはバックライト装置１２のＬＥＤ１７から発せられる青色の単色光を励起光として、赤色に属する特定の波長領域の可視光線と緑色に属する特定の波長領域の可視光線とを蛍光光としてそれぞれ発するものとされる。つまり、波長変換部４２は、ＬＥＤ１７から発せられる青色の単色光を、その単色光とは異なる色である赤色の光と緑色の光とにそれぞれ波長変換するとともに、その波長変換した赤色の光と緑色の光とを、各色の画素部３４Ｒ，３４Ｇ，３４Ｂのうち、ＬＥＤ１７から発せられる青色の単色光とは異なる色である赤色を呈する赤色画素部３４Ｒと緑色を呈する緑色画素部３４Ｇとにそれぞれ供給するものとされる。各蛍光体層４２Ｒ，４２Ｇには、各色の光を発する蛍光体がそれぞれ含有されている。また、各蛍光体層４２Ｒ，４２Ｇは、裏側の偏光板２９との間に隙間を殆ど有することがなく、同偏光板２９に接する形で配されている。
【００５０】
より詳しくは、波長変換部４２を構成する各色の蛍光体層４２Ｒ，４２Ｇは、いずれも励起光が青色の光とされており、図１０に示すように、次のような発光スペクトルを有している。すなわち、緑色蛍光体層（緑色波長変換部）４２Ｇには、青色の光を励起光として、緑色に属する波長領域（約５００ｎｍ〜約５７０ｎｍ）の光、つまり緑色の光を蛍光光として発する緑色蛍光体が含有されている。緑色蛍光体層４２Ｇに含まれる緑色蛍光体は、ピークのピーク波長が緑色の光の波長範囲の中の約５３０ｎｍとされ且つピークの半値幅が４０ｎｍ未満とされる発光スペクトルを有している。赤色蛍光体層（赤色波長変換部）４２Ｒには、青色の光を励起光として、赤色に属する波長領域（約６００ｎｍ〜約７８０ｎｍ）の光、つまり赤色の光を蛍光光として発する赤色蛍光体が含有されている。赤色蛍光体層４２Ｒに含まれる赤色蛍光体は、ピークのピーク波長が赤色の光の波長範囲の中の約６１０ｎｍとされ且つピークの半値幅が４０ｎｍ未満とされる発光スペクトルを有している。図１０には、各蛍光体層４２Ｒ，４２Ｇに含まれる各蛍光体の発光スペクトルが示されており、同図の横軸が光の波長とされ、同図の縦軸が各蛍光体の相対的な発光強度（無単位）とされている。
【００５１】
このように、各蛍光体層４２Ｒ，４２Ｇに含まれる蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各蛍光体層４２Ｒ，４２Ｇに含まれる蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体を含む各蛍光体層４２Ｒ，４２Ｇの発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ２等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００５２】
波長変換部４２を構成する各蛍光体層４２Ｒ，４２Ｇは、図７及び図９に示すように、支持基板４１の板面の面内において多数個ずつがマトリクス状に並ぶ形で配置されており、その配置が液晶パネル１１のアレイ基板２０に備えられる特定の画素電極２５と平面に視て（支持基板４１の板面（液晶パネル１１の表示面）の法線方向から視て）重畳するものとされる。各蛍光体層４２Ｒ，４２Ｇは、画素電極２５と同様に平面に視て縦長の方形状をなしており、それぞれの面積が画素電極２５の面積と同じ程度とされている。なお、図９には、赤色蛍光体層４２Ｒに「Ｒ」の文字を付すとともに、緑色蛍光体層４２Ｇに「Ｇ」の文字を付している。具体的には、緑色蛍光体層４２Ｇは、緑色画素部３４Ｇを構成する画素電極２５と平面に視て重畳する配置とされるのに対し、赤色蛍光体層４２Ｒは、赤色画素部３４Ｒを構成する画素電極２５と平面に視て重畳する配置とされる。これにより、バックライト装置１２から青色の単色光が波長変換パネル４０に照射されると、緑色蛍光体層４２Ｇでは青色の単色光が緑色の光に波長変換され、その波長変換された緑色の光が液晶パネル１１において緑色蛍光体層４２Ｇと重畳する緑色画素部３４Ｇを構成する画素電極２５を透過するに対し、赤色蛍光体層４２Ｒでは青色の単色光が赤色の光に波長変換され、その波長変換された赤色の光が液晶パネル１１において赤色蛍光体層４２Ｒと重畳する赤色画素部３４Ｒを構成する画素電極２５を透過するようになっている。
【００５３】
透明部４３は、図７に示すように、ほぼ透明な合成樹脂材料からなるものとされる。透明部４３は、波長選択性を有することなく、全可視光線をほぼ均等に透過するものとされる。つまり、透明部４３は、バックライト装置１２のＬＥＤ１７から発せられた青色の単色光を、吸収したり反射したりすることが殆どなく、ほぼそのまま透過するものとされる。透明部４３は、支持基板４１に対して波長変換部４２と同一層となるよう設けられるとともに、波長変換部４２の各蛍光体層４２Ｒ，４２Ｇとほぼ同じ厚さを有している。透明部４３は、図９に示すように、波長変換部４２を構成する各蛍光体層４２Ｒ，４２Ｇと共に支持基板４１の面内において多数個がマトリクス状に並ぶ形で配置されており、その配置が液晶パネル１１のアレイ基板２０に備えられる特定の画素電極２５と平面に視て重畳するものとされる。透明部４３は、画素電極２５と同様に平面に視て縦長の方形状をなしており、その面積が画素電極２５の面積と同じ程度とされている。なお、図９には、透明部４３に「Ｔ」の文字を付している。具体的には、透明部４３は、バックライト装置１２のＬＥＤ１７から発せられる青色の単色光と同色を呈する青色画素部３４Ｂを構成する画素電極２５と平面に視て重畳する配置とされる。これにより、バックライト装置１２から青色の単色光が波長変換パネル４０に照射されると、その青色の単色光は、透明部４３をほぼそのまま透過した後、液晶パネル１１において透明部４３と重畳する青色画素部３４Ｂを構成する画素電極２５を透過するようになっている。つまり、青色画素部３４Ｂの透過光は、緑色画素部３４Ｇ及び赤色画素部３４Ｒの透過光とは異なり、波長変換部４２による波長変換を経ることがないものとされ、波長変換に伴う損失が生じることが避けられている。従って、青色画素部３４Ｂの透過光に関しては、ＬＥＤ１７から発せられる光の利用効率が極めて高いものとなっている。しかも、透明部４３は、各蛍光体層４２Ｒ，４２Ｇとほぼ同じ厚さを有していて液晶パネル１１の裏側の偏光板２９との間に隙間を殆ど有することがなく、同偏光板２９に接する形で配されているので、仮に透明部の代わりに空気層を設けるようにした場合に比べると、光が不用意に屈折したり反射したりし難いものとなり、それにより混色などの問題が生じ難くなる。
【００５４】
遮光部４４は、図７及び図９に示すように、平面に視て略格子状をなしており、波長変換部４２を構成する各蛍光体層４２Ｒ，４２Ｇの間を仕切るとともに、各蛍光体層４２Ｒ，４２Ｇと透明部４３との間を仕切る形で配されている。さらには、この遮光部４４は、液晶パネル１１に備えられて平面に視て互いに隣り合う各画素電極２５の間を仕切る形で配されている。つまり、遮光部４４は、平面に視て互いに隣り合う各色の画素部３４Ｒ，３４Ｇ，３４Ｂの間を仕切る形で配されている。これにより、互いに隣り合い且つ互いに異なる色の画素部３４Ｒ，３４Ｇ，３４Ｂの間で混色が生じるのが防がれるようになっている。また、遮光部４４は、液晶パネル１１に備えられて格子状をなすゲート配線２６及びソース配線２７と平面に視て重畳する配置とされる。
【００５５】
本実施形態は以上のような構造であり、続いてその作用を説明する。液晶表示装置１０の電源を投入すると、図示しないコントロール基板のパネル制御回路により液晶パネル１１の駆動が制御されるとともに、図示しないＬＥＤ駆動回路基板のＬＥＤ駆動回路によりＬＥＤ基板１８のＬＥＤ１７の駆動が制御される。点灯されたＬＥＤ１７からの青色の単色光は、図４に示すように、導光板１９の光入射面１９ｂに直接入射したり、第１シャーシ側反射シート１４Ｒ１及びフレーム側反射シート１６Ｒにより反射されてから光入射面１９ｂに入射する。光入射面１９ｂに入射した光は、第２シャーシ側反射シート１４Ｒ２により反射されるなどして導光板１９内を伝播された後に光出射面１９ａから出射される。導光板１９を出射した光は、各光学部材１５によって所定の光学作用が付与されることで、均一化された面状光として表側、つまり液晶パネル１１及び波長変換パネル４０側に出射される。
【００５６】
導光板１９の光出射面１９ａを出射した光（青色の単色光）は、図７に示すように、液晶パネル１１よりも先に波長変換パネル４０に照射される。なお、図７では、導光板１９の光出射面１９ａを出射する青色の単色光及びその進行方向を矢線により図示している。波長変換パネル４０に照射された光は、ほぼ透明な支持基板４１を透過してから、波長変換部４２及び透明部４３に入射される。波長変換部４２に入射した青色の単色光は、各蛍光体層４２Ｇ，４２Ｒによりそれぞれ波長変換される。詳しくは、緑色蛍光体層４２Ｇに入射した青色の単色光は、緑色蛍光体層４２Ｇに含まれる緑色蛍光体である緑色の量子ドット蛍光体により緑色に属する波長領域の光へと効率的に波長変換される。赤色蛍光体層４２Ｒに入射した青色の単色光は、赤色蛍光体層４２Ｒに含まれる赤色蛍光体である赤色の量子ドット蛍光体により赤色に属する波長領域の光へと効率的に波長変換される。各蛍光体層４２Ｇ，４２Ｂにて波長変換されて生じた可視光線は、偏光がデポラライズされた無偏光光であり、三次元的に放射状に拡散する形で進行する。一方、透明部４３に入射した青色の単色光は、透明部４３にて吸収されたり反射されたりすることが殆どなく、ほぼそのまま透明部４３を透過する。
【００５７】
このようにして波長変換パネル４０を透過した３色の光は、液晶パネル１１に入射される。液晶パネル１１に入射される光は、まず裏側の偏光板２９を透過することで、その偏光方向が整えられる。裏側の偏光板２９を透過した光は、アレイ基板２０及びその画素電極２５などを透過してから、液晶層２２に入射される。ここで、各画素電極２５のうちの青色画素部３４Ｂを構成する画素電極２５を透過する光は、波長変換パネル４０の透明部４３を透過した青色の光とされるのに対し、各画素電極２５のうちの緑色画素部３４Ｇを構成する画素電極２５を透過する光は、波長変換パネル４０の波長変換部４２を構成する緑色蛍光体層４２Ｇにて波長変換された緑色の光とされるとともに、各画素電極２５のうちの赤色画素部３４Ｒを構成する画素電極２５を透過する光は、波長変換パネル４０の波長変換部４２を構成する赤色蛍光体層４２Ｒにて波長変換された赤色の光とされる。液晶層２２に含まれる液晶分子は、各ＴＦＴ２４によって各画素電極２５と対向電極３１との間に印加される電圧に応じてその配向状態が各画素電極２５毎に個別に制御されている。従って、液晶層２２を透過する光は、各画素電極２５毎に偏光状態が制御されるようになっている。液晶層２２を透過した光は、対向電極３１及び対向基板２１などを透過した後に、表側の偏光板３０を透過することで、再びその偏光方向が整えられるとともに、液晶パネル１１の出射光量が各表示画素３４を構成する各色の画素部３４Ｒ，３４Ｇ，３４Ｂ毎にそれぞれ所定の階調に応じた値となり、もってマトリクス状に配置された各表示画素３４によるカラー画像が表示される。
【００５８】
ところで、液晶パネル１１において表示画素３４を構成する青色画素部３４Ｂの透過光は、ＬＥＤ１７から発せられた青色の単色光がほぼそのまま波長変換パネル４０の透明部４３を透過したものであることから、緑色画素部３４Ｇ及び赤色画素部３４Ｒの透過光とは異なり、波長変換部４２による波長変換を経ることがないものとされる。従って、青色画素部３４Ｂの透過光は、波長変換に伴う損失が生じることが避けられていてＬＥＤ１７から発せられる光の利用効率が極めて高いものとなっている。一方、液晶パネル１１において表示画素３４を構成する緑色画素部３４Ｇ及び赤色画素部３４Ｒの透過光に関しては、ＬＥＤ１７から発せられた青色の単色光が波長変換パネル４０の波長変換部４２によって波長変換されたものであるため、波長変換に伴う損失が生じることとなる。ところが、波長変換部４２を構成する緑色蛍光体層４２Ｇ及び赤色蛍光体層４２Ｒは、いずれもダウンコンバージョン型の量子ドット蛍光体を含んでなるものとされているから、波長変換効率が極めて高いものとされており、それにより波長変換に伴う損失が低く抑えられている。しかも、上記した量子ドット蛍光体により波長変換される励起光は、ＬＥＤ１７から発せられた青色の単色光とされていて、可視光線の中では高いエネルギーを有していることから、緑色画素部３４Ｇ及び赤色画素部３４Ｒの透過光に係る輝度がそれぞれ十分に高いものとなっている。
【００５９】
以上説明したように本実施形態の液晶表示装置（表示装置）１０は、画像を表示する液晶パネル（表示パネル）１１と、液晶パネル１１に備えられて互いに異なる色を呈する複数の画素部３４Ｒ，３４Ｇ，３４Ｂと、複数の画素部３４Ｒ，３４Ｇ，３４Ｂに含まれる青色画素部３４Ｂ（いずれかの画素部）と同色の単色光を発するＬＥＤ（光源）１７と、複数の画素部３４Ｒ，３４Ｇ，３４Ｂに含まれてＬＥＤ１７から発せられる単色光とは異なる色を呈する画素部３４Ｒ，３４Ｇと重畳する形で配されるとともに、ＬＥＤ１７からの単色光を波長変換し、その波長変換した光に、重畳する画素部が呈する色の光が含まれるものとされる波長変換部４２と、を備える。
【００６０】
このような構成によれば、液晶パネル１１に備えられて互いに異なる色を呈する複数の画素部３４Ｒ，３４Ｇ，３４Ｂのうち、ＬＥＤ１７から発せられる単色光とは異なる色を呈する画素部３４Ｒ，３４Ｇにおいては、波長変換部４２により上記単色光が波長変換されることで、その画素部３４Ｒ，３４Ｇの透過光に当該画素部３４Ｒ，３４Ｇが呈する色の光が含まれるものとされる。一方、複数の画素部３４Ｒ，３４Ｇ，３４Ｂのうち、ＬＥＤ１７から発せられる単色光と同色を呈する青色画素部３４Ｂにおいては、ＬＥＤ１７からの単色光が波長変換部４２によって波長変換されることなく透過することになる。つまり、ＬＥＤ１７から発せられた単色光は、それと同色の青色画素部３４Ｂを透過するに際して波長変換に伴う損失が生じることが避けられている。これにより、ＬＥＤ１７から発せられる光の利用効率が向上する。
【００６１】
また、波長変換部４２は、励起波長が蛍光波長よりも短波長とされる蛍光体からなるものとされる。このように波長変換部４２としていわゆるダウンコンバージョン型の蛍光体を用いるようにすれば、仮にアップコンバージョン型の蛍光体（励起波長が蛍光波長よりも長波長とされる蛍光体）を用いた場合に比べると、波長変換効率がより高いものとなるので、輝度の向上などを図る上でより好適とされる。
【００６２】
また、複数の画素部３４Ｒ，３４Ｇ，３４Ｂには、青色を呈する青色画素部３４Ｂが少なくとも含まれており、ＬＥＤ１７は、青色画素部３４Ｂと同色である青色の単色光を少なくとも発するものとされる。このようにすれば、青色画素部３４Ｂにおいては、ＬＥＤ１７から発せられた青色の単色光が波長変換部４２によって波長変換されることなく透過することになるので、ＬＥＤ１７から発せられる青色の単色光の利用効率が高いものとされる。しかも、ＬＥＤ１７から発せられる青色の単色光は、可視光線の中では高いエネルギーを有していることから、複数の画素部３４Ｒ，３４Ｇ，３４Ｂのうち、青色以外の色を呈する画素部においては、高いエネルギーとされるＬＥＤ１７からの青色光を波長変換部４２により波長変換して得られた長波長の光が透過されることになるので、青色以外の色を呈する画素部の透過光に係る輝度が十分に高いものとなる。
【００６３】
また、青色画素部３４Ｂと重畳する形で配されて透明な透明部４３を備える。このようにすれば、青色画素部３４Ｂと重畳する透明部４３を、ＬＥＤ１７から発せられた青色の光が透過することで、青色画素部３４Ｂの透過光に係る輝度がより向上する。
【００６４】
また、波長変換部４２は、量子ドット蛍光体からなるものとされる。このように波長変換部４２として量子ドット蛍光体を用いるようにすれば、波長変換された光の色純度が優れたものとなるので、ＬＥＤ１７から発せられる単色光とは異なる色を呈する画素部３４Ｒ，３４Ｇの透過光に係る色純度がより高いものとなる。
【００６５】
また、液晶パネル１１には、液晶層２２と、液晶層２２を挟み込む形で配される一対の偏光板（偏光層）２９，３０と、が少なくとも備えられており、波長変換部４２は、偏光板２９，３０に対して液晶層２２側とは反対側に配される。このようにすれば、一方の偏光板２９を透過して偏光状態が整えられた光は、液晶層２２を透過した後に他方の偏光板３０を透過するものとされ、その途中で波長変換部４２を経ることがないものとされる。従って、ＬＥＤ１７から発せられる単色光が波長変換部４２にて波長変換される際に無偏光化された場合でも、一対の偏光板２９，３０及び液晶層２２を透過する光の偏光状態が乱されることが避けられる。これにより、液晶層２２の配向状態を制御することで、各画素部３４Ｒ，３４Ｇ，３４Ｂの透過光量を適切に制御することができる。
【００６６】
また、液晶パネル１１には、液晶層２２を挟み込む形で配され且つ一対の偏光板２９，３０に対してそれぞれ液晶層２２側に配される一対の基板２０，２１が備えられており、一対の偏光板２９，３０のうちのいずれか一方の偏光板２９に対してアレイ基板２０側とは反対側に配されるよう取り付けられるとともに偏光板２９側の面に少なくとも波長変換部４２が設けられる支持基板４１と、支持基板４１と偏光板２９との間に挟み込まれる波長変換部４２を封止するシール部（封止部）４５と、が備えられる。このようにすれば、支持基板４１は、一対の偏光板２９，３０のうちのいずれか一方の偏光板２９に対してアレイ基板２０側とは反対側に配されるよう取り付けられており、その支持基板４１における偏光板２９側の面に設けられた波長変換部４２は、支持基板４１と偏光板２９との間に挟み込まれるとともにシール部４５によって封止されている。これにより、波長変換部４２が湿気などの影響によって性能劣化する事態を避けることができる。
【００６７】
また、光源は、ＬＥＤとされる。このようにすれば、ＬＥＤ１７から高い色純度の単色光が発せられる。これにより、液晶パネル１１に表示される画像の色再現性を向上させることができる。
【００６８】
本実施形態に係るテレビ受信装置１０ＴＶは、上記した液晶表示装置１０と、テレビ信号を受信可能なチューナー（受信部）１０Ｔとを備える。このようなテレビ受信装置１０ＴＶによれば、高輝度なテレビ画像を表示することができ、また低消費電力化にも好適とされる。
【００６９】
＜実施形態２＞
本発明の実施形態２を図１１または図１２によって説明する。この実施形態２では、波長変換パネル１４０にカラーフィルタ４６を設けるようにしたものを示す。なお、上記した実施形態１と同様の構造、作用及び効果について重複する説明は省略する。
【００７０】
本実施形態に係る波長変換パネル１４０には、図１１に示すように、特定の波長領域の光を選択的に透過し、それ以外の波長領域の光を選択的に吸収するカラーフィルタ（波長選択性透光部）４６が設けられている。カラーフィルタ４６は、波長変換部１４２及び透明部１４３に対して表側、つまり液晶パネル１１１側（バックライト装置側とは反対側）に積層する形で設けられている。従って、支持基板１４１には、先に波長変換部１４２及び透明部１４３が設けられ、その後に波長変換部１４２及び透明部１４３上に重なる形でカラーフィルタ４６が設けられている。
【００７１】
カラーフィルタ４６は、図１１に示すように、青色に属する波長領域の光、つまり青色の光を選択的に透過する青色着色層（青色選択性透光部）４６Ｂと、緑色に属する波長領域の光、つまり緑色の光を選択的に透過する緑色着色層（緑色選択性透光部）４６Ｇと、赤色に属する波長領域の光、つまり赤色の光を選択的に透過する赤色着色層（赤色選択性透光部）４６Ｒと、から構成される。各着色層４６Ｒ，４６Ｇ，４６Ｂは、それぞれ所定の顔料または染料を含有しており、その含有する顔料または染料に応じた特定の色を呈するものとされる。青色着色層４６Ｂは、青色の光については透過するものの、青色の光以外の光、例えば緑色の光及び赤色の光などを吸収するものとされる。緑色着色層４６Ｇは、緑色の光については透過するものの、緑色の光以外の光、例えば青色の光及び赤色の光などを吸収するものとされる。赤色着色層４６Ｒは、赤色の光については透過するものの、赤色の光以外の光、例えば青色の光及び緑色の光などを吸収するものとされる。青色着色層４６Ｂは、透明部１４３に対して表側（出光側）に積層（重畳）する形で設けられており、それにより液晶パネル１１１の青色画素部１３４Ｂを構成する画素電極１２５と重畳する形で配されている。緑色着色層４６Ｇは、緑色蛍光体層１４２Ｇに対して表側（出光側）に積層（重畳）する形で設けられており、それにより液晶パネル１１１の緑色画素部１３４Ｇを構成する画素電極１２５と重畳する形で配されている。赤色着色層４６Ｒは、赤色蛍光体層１４２Ｒに対して表側（出光側）に積層（重畳）する形で設けられており、それにより液晶パネル１１１の赤色画素部１３４Ｒを構成する画素電極１２５と重畳する形で配されている。このように、各着色層４６Ｒ，４６Ｇ，４６Ｂは、同じ色を呈する各画素部１３４Ｒ，１３４Ｇ，１３４Ｂと重畳配置されている。カラーフィルタ４６を構成する各着色層４６Ｒ，４６Ｇ，４６Ｂは、各画素部１３４Ｒ，１３４Ｇ，１３４Ｂ（緑色蛍光体層１４２Ｇ、赤色蛍光体層１４２Ｒ、及び透明部１４３）と同様に、支持基板１４１の板面の面内において多数個ずつがマトリクス状に並んで配置されている。青色着色層４６Ｂに対して裏側に積層される透明部１４３は、その厚みが各蛍光体層１４２Ｒ，１４２Ｇの厚みとほぼ同じとされている。これにより、各着色層４６Ｒ，４６Ｇ，４６Ｂは、その厚みが互いにほぼ同じに揃えられている。また、遮光部１４４は、カラーフィルタ４６を構成するとともに互いに隣り合う各着色層４６Ｒ，４６Ｇ，４６Ｂの間を仕切る形で設けられている。
【００７２】
カラーフィルタ４６を構成する各色の着色層４６Ｒ，４６Ｇ，４６Ｂは、次のような透過スペクトルを有している。赤色を呈する赤色着色層４６Ｒは、図１２に示すように、赤色に属する波長領域（約６００ｎｍ〜約７８０ｎｍ）の光、つまり赤色の光を選択的に透過するものとされており、その透過スペクトルに含まれるピークの立ち上がり位置が５６０ｎｍ以上となり、ピークの半値（分光透過率の最大値の半値）となる波長が５８０ｎｍ以上となるよう構成されている。具体的には、赤色着色層４６Ｒは、ピークの立ち上がり位置が５６６ｎｍ程度となり、ピークの半値となる波長が５８８ｎｍ程度となる透過スペクトルを有するよう構成される。緑色を呈する緑色着色層４６Ｇは、緑色に属する波長領域（約５００ｎｍ〜約５７０ｎｍ）の光、つまり緑色の光を選択的に透過するものとされており、その透過スペクトルに含まれるピークのピーク波長が５１０ｎｍ〜５５０ｎｍの範囲となるとともに、当該ピークの半値幅が１１０ｎｍ未満となるよう構成されている。具体的には、緑色着色層４６Ｇは、ピーク波長が５３０ｎｍとなるピークを含み且つその半値幅（４８８ｎｍから５８０ｎｍまでの幅）が９２ｎｍ程度となる透過スペクトルを有するよう構成される。青色を呈する青色着色層４６Ｂは、青色に属する波長領域（約４２０ｎｍ〜約５００ｎｍ）の光、つまり青色の光を選択的に透過するものとされており、その透過スペクトルに含まれるピークのピーク波長が４４０ｎｍ〜４８０ｎｍの範囲となるとともに、当該ピークの半値幅が１１０ｎｍ未満となるよう構成されている。具体的には、青色着色層４６Ｂは、ピーク波長が４５５ｎｍとなるピークを含み且つその半値幅（４０４ｎｍから５０９ｎｍまでの幅）が１０５ｎｍ程度となる透過スペクトルを有するよう構成される。なお、ここで言う透過スペクトルの「ピーク」とは、透過スペクトルの中の山状部分のことを指し、「ピーク波長」とは、上記山状部分の中の頂点における波長のことを指す。また、図１２には、カラーフィルタ４６の透過スペクトルが示されており、同図の横軸が光の波長とされ、同図の縦軸がカラーフィルタ４６の分光透過率（単位は「％」）とされている。
【００７３】
続いて、本実施形態に係る作用について説明する。図示しないバックライト装置から波長変換パネル１４０に向けて青色の単色光が照射されると、その青色の単色光は、図１１に示すように、ほぼ透明な支持基板１４１を透過してから、まず波長変換部１４２及び透明部１４３に入射される。波長変換部１４２に入射した青色の単色光は、上記した実施形態１と同様に各蛍光体層１４２Ｇ，１４２Ｒによりそれぞれ波長変換される。これに対して、透明部１４３に入射した青色の単色光は、透明部１４３にて吸収されたり反射されたりすることが殆どなく、ほぼそのまま透明部１４３を透過する。
【００７４】
このうち、緑色蛍光体層１４２Ｇを透過した光は、緑色蛍光体層１４２Ｇに対して表側に積層された緑色着色層４６Ｇに、赤色蛍光体層１４２Ｒを透過した光は、赤色蛍光体層１４２Ｒに対して表側に積層された赤色着色層４６Ｒに、それぞれ入射される。ここで、緑色蛍光体層１４２Ｇの透過光には、緑色蛍光体層１４２Ｇにて波長変換されて発せられた緑色の光の他にも、緑色蛍光体層１４２Ｇでは波長変換されなかった青色の光などが含まれ得るものとされる。同様に、赤色蛍光体層１４２Ｒの透過光には、赤色蛍光体層１４２Ｒにて波長変換されて発せられた赤色の光の他にも、赤色蛍光体層１４２Ｒでは波長変換されなかった青色の光などが含まれ得るものとされる。また、緑色蛍光体層１４２Ｇでは、青色の光が緑色の光へと波長変換されるものの、波長変換に伴って緑色に属する波長領域からずれた光、つまりサイドローブ光が生じ得る場合もある。同様に、赤色蛍光体層１４２Ｒでは、青色の光が赤色の光へと波長変換されるものの、波長変換に伴って赤色に属する波長領域からずれたサイドローブ光が生じ得る場合もある。緑色蛍光体層１４２Ｇ及び赤色蛍光体層１４２Ｒの透過光に、上記のような未変換の青色の光やサイドローブ光が含まれていた場合でも、緑色蛍光体層１４２Ｇの透過光が緑色着色層４６Ｇを透過されるのに伴って、未変換の青色の光やサイドローブ光が緑色着色層４６Ｇにより吸収されるとともに、赤色蛍光体層１４２Ｒの透過光が赤色着色層４６Ｒを透過されるのに伴って、未変換の青色の光やサイドローブ光が緑色着色層４６Ｇにより吸収されるようになっている。これにより、緑色着色層４６Ｇを透過して液晶パネル１１１の緑色画素部１３４Ｇに供給される緑色の光は、色純度が極めて高いものとされるとともに、赤色着色層４６Ｒを透過して液晶パネル１１１の赤色画素部１３４Ｒに供給される赤色の光は、色純度が極めて高いものとされる。
【００７５】
一方、透明部１４３を透過した光は、透明部１４３に対して表側に積層された青色着色層４６Ｂに入射される。ここで、透明部１４３の透過光は、バックライト装置に備えられるＬＥＤの発光光とされるものの、このＬＥＤの発光光には、青色に属する波長領域からずれた光、つまりサイドローブ光が含まれている場合がある。透明部１４３の透過光に上記のようなサイドローブ光が含まれていた場合でも、透明部１４３の透過光が青色着色層４６Ｂを透過されるのに伴って、そのサイドローブ光が青色着色層４６Ｂにより吸収されるようになっている。これにより、青色着色層４６Ｂを透過して液晶パネル１１１の青色画素部１３４Ｂに供給される緑色の光は、色純度が極めて高いものとされる。以上のように、カラーフィルタ４６を構成する各着色層４６Ｒ，４６Ｇ，４６Ｂによって各画素部１３４Ｒ，１３４Ｇ，１３４Ｂの透過光に係る色純度がそれぞれ向上されるから、液晶パネル１１１の表示面に表示される画像に係る色再現性がさらに向上され、表示品位がより高いものとなる。
【００７６】
以上説明したように本実施形態によれば、青色画素部１３４Ｂと重畳する形で配されて青色の光を選択的に透過する青色着色層（青色選択性透光部）４６Ｂを備える。このようにすれば、青色画素部３４Ｂと重畳する青色着色層４６Ｂを、ＬＥＤから発せられた青色の光が透過することで、青色画素部３４Ｂの透過光に係る色純度がより向上する。
【００７７】
また、複数の画素部１３４Ｒ，１３４Ｇ，１３４Ｂには、緑色を呈する緑色画素部１３４Ｇと赤色を呈する赤色画素部１３４Ｒとがそれぞれ少なくとも含まれており、波長変換部１４２には、緑色画素部１３４Ｇと重畳する形で配されるとともにＬＥＤからの青色の単色光を緑色の光に波長変換する緑色蛍光体層（緑色波長変換部）１４２Ｇと、赤色画素部１３４Ｒと重畳する形で配されるとともにＬＥＤからの青色の単色光を赤色の光に波長変換する赤色蛍光体層（赤色波長変換部）１４２と、がそれぞれ少なくとも含まれる。このようにすれば、緑色画素部１３４Ｇ及び赤色画素部１３４Ｒにおいては、可視光線の中でも高いエネルギーとされるＬＥＤからの青色光を、波長変換部１４２により波長変換した長波長の光である緑色の光及び赤色の光がそれぞれ透過されることになるので、緑色画素部１３４Ｇ及び赤色画素部１３４Ｒの透過光に係る輝度がそれぞれ十分に高いものとなる。
【００７８】
また、緑色蛍光体層１４２Ｇと重畳し且つ緑色蛍光体層１４２Ｇに対して出光側に配されて緑色の光を選択的に透過する緑色着色層（緑色選択性透光部）４６Ｇと、赤色蛍光体層１４２Ｒと重畳し且つ赤色蛍光体層１４２Ｒに対して出光側に配されて赤色の光を選択的に透過する赤色着色層（赤色選択性透光部）４６Ｒと、を備える。このようにすれば、緑色蛍光体層１４２Ｇにて波長変換された緑色の光がその出光側に重畳配置された緑色着色層４６Ｇを透過することで、緑色画素部１３４Ｇの透過光に係る色純度がより向上する。赤色蛍光体層１４２Ｒにて波長変換された赤色の光がその出光側に重畳配置された赤色着色層４６Ｒを透過することで、赤色画素部１３４Ｒの透過光に係る色純度がより向上する。
【００７９】
＜実施形態３＞
本発明の実施形態３を図１３または図１４によって説明する。この実施形態３では、上記した実施形態２からカラーフィルタ２４６の構成を偏光したものを示す。なお、上記した実施形態２と同様の構造、作用及び効果について重複する説明は省略する。
【００８０】
本実施形態に係るカラーフィルタ２４６は、図１３に示すように、黄色に属する波長領域の光、つまり黄色の光を選択的に透過する黄色着色層（黄色選択性透光部）２４６Ｙからなるものとされる。黄色着色層２４６Ｙを透過する黄色に属する波長領域の光には、緑色に属する波長領域の光と赤色に属する波長領域の光とが含まれていることから、黄色着色層２４６Ｙは、緑色の光と赤色の光とを共に透過するものとされる。黄色着色層２４６Ｙは、黄色の光（緑色の光及び赤色の光）については透過するものの、黄色の光以外の光、例えば青色の光などを吸収するものとされる。黄色着色層２４６Ｙは、緑色蛍光体層２４２Ｇ及び赤色蛍光体層２４２Ｒに対してそれぞれ表側に積層する形で設けられている。従って、黄色着色層２４６Ｙは、液晶パネル２１１の緑色画素部２３４Ｇを構成する画素電極２２５、及び赤色画素部２３４Ｒを構成する画素電極２２５とそれぞれ重畳する形で配されている。このように、黄色着色層２４６Ｙは、自身を透過する光に含まれる光の色（緑色及び赤色）と同色を呈する緑色画素部２３４Ｇ及び緑色蛍光体層２４２Ｇと、赤色画素部２３４Ｒ及び赤色蛍光体層２４２Ｒと、に対して重畳配置されている。カラーフィルタ２４６を構成する黄色着色層２４６Ｙは、緑色画素部２３４Ｇ及び赤色画素部２３４Ｒ（緑色蛍光体層２４２Ｇ及び赤色蛍光体層２４２Ｒ）と同様に、支持基板２４１の板面の面内において多数個ずつがマトリクス状に並んで配置されている。なお、カラーフィルタ２４６は、青色画素部２３４Ｂと重畳する位置には配置されておらず、透明部２４３に対して積層する形でも配置されていない。そのため、透明部２４３は、その厚みが各蛍光体層２４２Ｒ，２４２Ｇの厚みに、黄色着色層２４６Ｙの厚みを足し合わせた大きさとされている。これにより、透明部２４３における表側の面が、黄色着色層２４６Ｙにおける表側の面と面一状をなしている。また、遮光部２４４は、カラーフィルタ２４６を構成するとともに互いに隣り合う黄色着色層２４６Ｙの間を仕切る形で設けられている。
【００８１】
カラーフィルタ２４６を構成する黄色着色層２４６Ｙは、図１４に示すように、黄色の波長領域（５８０ｎｍ〜６００ｎｍ）の光、つまり黄色の光を選択的に透過するものとされており、その透過スペクトルに含まれるピークの半値となる波長が４８０ｎｍ〜５８０ｎｍの範囲に存するよう構成されている。具体的には、黄色着色層２４６Ｙは、ピークの半値となる波長が４９９ｎｍ程度となる透過スペクトルを有するよう構成されるのが好ましい。つまり、黄色着色層２４６Ｙに係る透過スペクトルには、緑色蛍光体層２４２Ｇに含有される緑色蛍光体の発光スペクトルがほぼ全域にわたって含まれるとともに、赤色蛍光体層２４２Ｒに含有される赤色蛍光体の発光スペクトルがほぼ全域にわたって含まれているので、緑色蛍光体層２４２Ｇにて波長変換された緑色の光と、赤色蛍光体層２４２Ｒにて波長変換された赤色の光と、がそれぞれ黄色着色層２４６Ｙを効率的に透過することになる。その一方、黄色着色層２４６Ｙは、ＬＥＤから発せられた青色の単色光などについては、効率的に吸収することができるものとされる。なお、図１４には、カラーフィルタ２４６の透過スペクトルが示されており、同図の横軸が光の波長とされ、同図の縦軸がカラーフィルタ２４６の分光透過率（単位は「％」）とされている。
【００８２】
続いて、本実施形態に係る作用について説明する。図示しないバックライト装置から波長変換パネル２４０に向けて青色の単色光が照射されると、その青色の単色光は、図１３に示すように、ほぼ透明な支持基板２４１を透過してから、まず波長変換部２４２及び透明部２４３に入射される。波長変換部２４２に入射した青色の単色光は、上記した実施形態１と同様に各蛍光体層２４２Ｇ，２４２Ｒによりそれぞれ波長変換される。これに対して、透明部２４３に入射した青色の単色光は、透明部２４３にて吸収されたり反射されたりすることが殆どなく、ほぼそのまま透明部２４３を透過する。
【００８３】
このうち、緑色蛍光体層２４２Ｇを透過した光は、緑色蛍光体層２４２Ｇに対して表側に積層された黄色着色層２４６Ｙに、赤色蛍光体層２４２Ｒを透過した光は、赤色蛍光体層２４２Ｒに対して表側に積層された黄色着色層２４６Ｙに、それぞれ入射される。ここで、緑色蛍光体層２４２Ｇの透過光には、緑色蛍光体層２４２Ｇにて波長変換されて発せられた緑色の光の他にも、緑色蛍光体層２４２Ｇでは波長変換されなかった青色の光などが含まれ得るものとされる。同様に、赤色蛍光体層２４２Ｒの透過光には、赤色蛍光体層２４２Ｒにて波長変換されて発せられた赤色の光の他にも、赤色蛍光体層２４２Ｒでは波長変換されなかった青色の光などが含まれ得るものとされる。また、緑色蛍光体層２４２Ｇでは、青色の光が緑色の光へと波長変換されるものの、波長変換に伴って緑色に属する波長領域からずれた光、つまりサイドローブ光が生じ得る場合もある。同様に、赤色蛍光体層２４２Ｒでは、青色の光が赤色の光へと波長変換されるものの、波長変換に伴って赤色に属する波長領域からずれたサイドローブ光が生じ得る場合もある。緑色蛍光体層２４２Ｇ及び赤色蛍光体層２４２Ｒの透過光に、上記のような未変換の青色の光やサイドローブ光（特に短波長側にずれたサイドローブ光）が含まれていた場合でも、緑色蛍光体層２４２Ｇの透過光が黄色着色層２４６Ｙを透過されるのに伴って、未変換の青色の光やサイドローブ光が黄色着色層２４６Ｙにより吸収されるとともに、赤色蛍光体層２４２Ｒの透過光が黄色着色層２４６Ｙを透過されるのに伴って、未変換の青色の光やサイドローブ光（特に短波長側にずれたサイドローブ光）が黄色着色層２４６Ｙにより吸収されるようになっている。これにより、黄色着色層２４６Ｙを透過して液晶パネル２１１の緑色画素部２３４Ｇに供給される緑色の光は、色純度が極めて高いものとされるとともに、黄色着色層２４６Ｙを透過して液晶パネル２１１の赤色画素部２３４Ｒに供給される赤色の光は、色純度が極めて高いものとされる。以上のように、カラーフィルタ２４６を構成する黄色着色層２４６Ｙによって緑色画素部２３４Ｇ及び赤色画素部２３４Ｒの透過光に係る色純度がそれぞれ向上されるから、液晶パネル２１１の表示面に表示される画像に係る色再現性がさらに向上され、表示品位がより高いものとなる。なお、青色画素部２３４Ｂの透過光に関しては、カラーフィルタ２４６を透過することがないので、実施形態２に比べると、透過光量がより多く確保され、輝度の向上を図る上で好適となる。
【００８４】
以上説明したように本実施形態によれば、緑色蛍光体層２４２Ｇ及び赤色蛍光体層２４２Ｒのそれぞれと重畳し且つ緑色蛍光体層２４２Ｇ及び赤色蛍光体層２４２Ｒのそれぞれに対して出光側に配されて黄色の光を選択的に透過する黄色着色部層（黄色選択性透光部）２４６Ｙを備える。このようにすれば、黄色着色部層２４６Ｙは、黄色の光、つまり緑色の光及び赤色の光をそれぞれ選択的に透過するものとされる。従って、緑色蛍光体層２４２Ｇにて波長変換された緑色の光、及び赤色蛍光体層２４２Ｒにて波長変換された赤色の光は、その出光側にそれぞれ重畳配置された黄色着色部層２４６Ｙをそれぞれ透過することで、緑色画素部２３４Ｇ及び赤色画素部２３４Ｒにおけるそれぞれの透過光に係る色純度がより向上する。
【００８５】
＜実施形態４＞
本発明の実施形態４を図１５から図１７によって説明する。この実施形態４では、上記した実施形態１から表示画素３３４に黄色を呈する黄色画素部３３４Ｙを追加したものを示す。なお、上記した実施形態１と同様の構造、作用及び効果について重複する説明は省略する。
【００８６】
本実施形態に係るテレビ受信装置３１０ＴＶには、図１５に示すように、液晶表示装置３１０と、当該液晶表示装置３１０を挟むようにして収容する表裏両キャビネット３１０Ｃａ，３１０Ｃｂと、電源３１０Ｐと、テレビ信号を受信するチューナー（受信部）３１０Ｔと、チューナー３１０Ｔから出力されたテレビ映像信号を当該液晶表示装置３１０用の映像信号に変換する映像変換回路基板３１０ＶＣと、スタンド３１０Ｓとを備えて構成される。このうち、映像変換回路基板３１０ＶＣは、チューナー３１０Ｔから出力されたテレビ映像信号を青色、緑色、赤色、黄色の各色の映像信号に変換し、生成された各色の映像信号を液晶パネル３１１に接続されたコントロール基板（図示せず）に出力するものとされる。
【００８７】
本実施形態に係る液晶パネル３１１においては、図１６に示すように、表示画素３３４が、赤色、緑色、及び青色の３色の各画素部３３４Ｒ，３３４Ｇ，３３４Ｂに、黄色を呈する黄色画素部３３４Ｙを加えた構成とされている。従って、液晶パネル３１１において、Ｘ軸方向に沿って並ぶ４つの画素電極３２５が、互いに異なる色を呈する４色の画素部３３４Ｒ，３３４Ｇ，３３４Ｂ，３３４Ｙを構成している。これら４色の画素部３３４Ｒ，３３４Ｇ，３３４Ｂ，３３４Ｙは、液晶パネル３１１の板面において行方向（Ｘ軸方向）に沿って繰り返し並べて配されることで、画素群を構成しており、この画素群が列方向（Ｙ軸方向）に沿って多数並んで配されている。
【００８８】
本実施形態に係る波長変換パネル３４０においては、図１６に示すように、波長変換部３４２が、赤色の光及び緑色の光をそれぞれ発する赤色蛍光体層３４２Ｒ及び緑色蛍光体層３４２Ｇに、黄色の光を発する黄色蛍光体層（黄色波長変換部）３４２Ｙを加えた構成とされている。黄色蛍光体層３４２Ｙは、ＬＥＤから供給される青色の光を励起光とし、その励起光に基づいて黄色に属する特定の波長領域の可視光線を蛍光光として発するものとされる。このように、波長変換部３４２は、ＬＥＤから発せられる青色の単色光を、その単色光とは異なる色である赤色の光と緑色の光と黄色の光とにそれぞれ波長変換するとともに、その波長変換した赤色の光と緑色の光と黄色の光とを、各色の画素部３３４Ｒ，３３４Ｇ，３３４Ｂ，３３４Ｙのうち、ＬＥＤから発せられる青色の単色光とは異なる色である赤色を呈する赤色画素部３３４Ｒと緑色を呈する緑色画素部３３４Ｇと黄色を呈する黄色画素部３３４Ｙとにそれぞれ供給するものとされる。
【００８９】
黄色蛍光体層３４２Ｙは、次のような発光スペクトルを有している。すなわち、黄色蛍光体層３４２Ｙには、図１７に示すように、青色の光を励起光として、黄色に属する波長領域（約５５０ｎｍ〜約６００ｎｍ）の光、つまり黄色の光を蛍光光として発する黄色蛍光体が含有されている。黄色蛍光体層３４２Ｙに含まれる黄色蛍光体は、ピークのピーク波長が黄色の光の波長範囲の中の約５６０ｎｍとされ且つピークの半値幅が４０ｎｍ未満とされる発光スペクトルを有している。黄色蛍光体層３４２Ｙに含まれる黄色蛍光体としては、他の色の蛍光体層３４２Ｒ，３４２Ｇと同様に、量子ドット蛍光体を用いるのが好ましい。図１７には、各蛍光体層３４２Ｒ，３４２Ｇ，３４２Ｙに含まれる各蛍光体の発光スペクトルが示されており、同図の横軸が光の波長とされ、同図の縦軸が各蛍光体の相対的な発光強度（無単位）とされている。
【００９０】
続いて、本実施形態に係る作用について説明する。図示しないバックライト装置から波長変換パネル３４０に向けて青色の単色光が照射されると、その青色の単色光は、図１６に示すように、ほぼ透明な支持基板３４１を透過してから、波長変換部３４２及び透明部３４３に入射される。波長変換部３４２に入射した青色の単色光は、各蛍光体層３４２Ｇ，３４２Ｒ，３４２Ｙによりそれぞれ波長変換される。詳しくは、緑色蛍光体層３４２Ｇに入射した青色の単色光は、緑色蛍光体層３４２Ｇに含まれる緑色蛍光体である緑色の量子ドット蛍光体により緑色に属する波長領域の光へと効率的に波長変換された後に、緑色蛍光体層３４２Ｇと重畳する緑色画素部３３４Ｇを構成する画素電極３２５を透過する。赤色蛍光体層３４２Ｒに入射した青色の単色光は、赤色蛍光体層３４２Ｒに含まれる赤色蛍光体である赤色の量子ドット蛍光体により赤色に属する波長領域の光へと効率的に波長変換された後に、赤色蛍光体層３４２Ｒと重畳する赤色画素部３３４Ｒを構成する画素電極３２５を透過する。黄色蛍光体層３４２Ｙに入射した青色の単色光は、黄色蛍光体層３４２Ｙに含まれる黄色蛍光体である黄色の量子ドット蛍光体により黄色に属する波長領域の光へと効率的に波長変換された後に、黄色蛍光体層３４２Ｙと重畳する黄色画素部３３４Ｙを構成する画素電極３２５を透過する。一方、透明部３４３に入射した青色の単色光は、透明部３４３にて吸収されたり反射されたりすることが殆どなく、ほぼそのまま透明部３４３を透過した後に、透明部３４３と重畳する青色画素部３３４Ｂを構成する画素電極３２５を透過する。
【００９１】
このようにして液晶パネル３１１の各画素部３３４Ｒ，３３４Ｇ，３３４Ｂ，３３４Ｙを透過した４色の光によって所定のカラー画像が表示されるようになっている。この液晶パネル３１１に表示されるカラー画像は、上記した実施形態１に比べると、黄色の光が加わっている分だけ色度領域が拡張されており、それにより色再現性に優れた表示画像となっている。しかも、黄色蛍光体層３４２Ｙは、ダウンコンバージョン型の量子ドット蛍光体を含んでなるものとされているから、波長変換効率が極めて高いものとされており、それにより波長変換に伴う損失が低く抑えられている。しかも、上記した量子ドット蛍光体により波長変換される励起光は、ＬＥＤから発せられた青色の単色光とされていて、可視光線の中では高いエネルギーを有していることから、黄色画素部３３４Ｙの透過光に係る輝度が、緑色画素部３３４Ｇ及び赤色画素部３３４Ｒと同様に十分に高いものとなっている。
【００９２】
以上説明したように本実施形態によれば、複数の画素部３３４Ｒ，３３４Ｇ，３３４Ｂには、黄色を呈する黄色画素部３３４Ｙが少なくとも含まれており、波長変換部３４２には、黄色画素部３３４Ｙと重畳する形で配されるとともにＬＥＤからの青色の単色光を黄色の光に波長変換する黄色蛍光体層（黄色波長変換部）３４２Ｙが少なくとも含まれる。このようにすれば、黄色画素部３３４Ｙにおいては、可視光線の中でも高いエネルギーとされるＬＥＤからの青色光を、波長変換部３４２の黄色蛍光体層３４２Ｙにより波長変換された長波長の光である黄色の光が透過されることになるので、黄色画素部３３４Ｙの透過光に係る輝度が十分に高いものとなる。しかも、青色画素部３３４Ｂ、緑色画素部３３４Ｇ、及び赤色画素部３３４Ｒに黄色画素部３３４Ｙを加えることで、液晶パネル３１１の出射光に係る色度領域がさらに拡張されるので、表示される画像に係る色再現性により優れる。
【００９３】
＜実施形態５＞
本発明の実施形態５を図１８から図２２によって説明する。この実施形態５では、上記した実施形態１からバックライト装置４１２を直下型に変更したものを示す。なお、上記した実施形態１と同様の構造、作用及び効果について重複する説明は省略する。
【００９４】
本実施形態に係る液晶表示装置４１０は、図１８に示すように、液晶パネル４１１と、直下型のバックライト装置４１２とをベゼル４１３などにより一体化した構成とされる。なお、液晶パネル４１１の構成は、上記した実施形態１と同様であるから、重複する説明は省略する。以下、直下型のバックライト装置４１２の構成について説明する。
【００９５】
バックライト装置４１２は、図１９に示すように、光出射側（液晶パネル４１１側）に光出射部４１４ｃを有した略箱型をなすシャーシ４１４と、シャーシ４１４の光出射部４１４ｃを覆うようにして配される光学部材４１５と、シャーシ４１４の外縁部に沿って配され光学部材４１５の外縁部をシャーシ４１４との間で挟んで保持するフレーム４１６と、を備える。さらに、シャーシ４１４内には、光学部材４１５（液晶パネル４１１）の直下となる位置に対向状に配されるＬＥＤ４１７と、ＬＥＤ４１７が実装されたＬＥＤ基板４１８と、ＬＥＤ基板４１８においてＬＥＤ４１７に対応した位置に取り付けられる拡散レンズ５０と、ＬＥＤ基板４１８をシャーシ４１４に対して取付状態に保持するための基板保持部材５１と、が備えられる。その上、シャーシ４１４内には、シャーシ４１４内の光を光学部材４１５側に反射させる反射シート５２が備えられる。このように本実施形態に係るバックライト装置４１２は、直下型であるから、実施形態１にて示したエッジライト型のバックライト装置１２において用いていた導光板１９が備えられていない。また、光学部材４１５には、相対的に板厚が厚くて最も裏側に配置される拡散板と、相対的に板厚が薄くて拡散板の表側に積層配置される光学シートと、が含まれている。また、フレーム４１６の構成については、実施形態１とはフレーム側反射シート１６Ｒを有していない点以外は同様であるため、説明を省略する。続いて、バックライト装置４１２の各構成部品について詳しく説明する。
【００９６】
シャーシ４１４は、金属製とされ、図１９から図２１に示すように、液晶パネル４１１と同様に横長な方形状をなす底板４１４ａと、底板４１４ａの各辺の外端からそれぞれ表側（光出射側）に向けて立ち上がる側板４１４ｂと、各側板４１４ｂの立ち上がり端から外向きに張り出す受け板５３と、からなり、全体としては表側に向けて開口した浅い略箱型をなしている。シャーシ４１４は、その長辺方向がＸ軸方向（水平方向）と一致し、短辺方向がＹ軸方向（鉛直方向）と一致している。シャーシ４１４における各受け板５３には、表側からフレーム４１６及び次述する光学部材４１５が載置可能とされる。各受け板５３には、フレーム４１６がねじ止めされている。
【００９７】
次に、ＬＥＤ４１７が実装されるＬＥＤ基板４１８について説明する。ＬＥＤ基板４１８は、図１９から図２１に示すように、平面に視て横長の方形状（短冊状）をなす基材を有しており、長辺方向がＸ軸方向と一致し、短辺方向がＹ軸方向と一致する状態でシャーシ４１４内において底板４１４ａに沿って延在しつつ収容されている。ＬＥＤ基板４１８は、シャーシ４１４内においてＸ軸方向（行方向）に２枚ずつ、Ｙ軸方向（列方向）に９枚ずつ、合計１８枚がマトリクス状（行列状）に並列して配置されている。このＬＥＤ基板４１８の基材の板面のうち、表側を向いた面（光学部材４１５側を向いた面）には、ＬＥＤ４１７が表面実装されており、ここが実装面４１８ａとされる。
【００９８】
ＬＥＤ４１７は、図２０及び図２１に示すように、ＬＥＤ基板４１８の実装面４１８ａ上において長辺方向（Ｘ軸方向）に沿って複数が一列に間欠的に並んで配されている。ＬＥＤ４１７は、上記したようにシャーシ４１４の底板４１４ａに沿ってマトリクス状に複数枚ずつ並んで配されるＬＥＤ基板４１８のそれぞれに複数ずつ設けられているので、全体としてシャーシ４１４内においてＸ軸方向及びＹ軸方向に沿って複数ずつマトリクス状に平面配置されている。各ＬＥＤ基板４１８に実装されたＬＥＤ４１７は、図２２に示すように、その発光面４１７ａが光学部材４１５及び液晶パネル４１１と対向状をなすとともに、その光軸がＺ軸方向、つまり液晶パネル４１１の表示面と直交する方向と一致している。ＬＥＤ４１７は、その配向分布が、上記した光軸に沿って進行する光の光量が最も多くなるものとされているが、光軸に対して斜め方向に沿って進行する光も少なからず含まれている。なお、図２２では、ＬＥＤ４１７から発せられる光の進行方向を矢線にて図示している。
【００９９】
反射シート５２は、図１８から図２１に示すように、シャーシ４１４の内面をほぼ全域にわたって覆う大きさ、つまり底板４１４ａに沿って平面配置された全ＬＥＤ基板４１８を一括して覆う大きさを有している。この反射シート５２によりシャーシ４１４内の光を光学部材４１５側に向けて反射させることができるようになっている。反射シート５２は、シャーシ４１４の底板４１４ａに沿って延在するとともに底板４１４ａの大部分を覆う大きさの底部５２ａと、底部５２ａの各外端から表側に立ち上がるとともに底部５２ａに対して傾斜状をなす４つの立ち上がり部５２ｂと、各立ち上がり部５２ｂの外端から外向きに延出するとともにシャーシ４１４の受け板５３に載せられる延出部５２ｃと、から構成されている。この反射シート５２の底部５２ａが各ＬＥＤ基板４１８における表側の面、つまりＬＥＤ４１７の実装面４１８ａに対して表側に重なるよう配される。
【０１００】
拡散レンズ５０は、ほぼ透明で（高い透光性を有し）且つ屈折率が空気よりも高い合成樹脂材料（例えばポリカーボネートやアクリルなど）からなる。拡散レンズ５０は、図１９及び図２２に示すように、所定の厚みを有するとともに、平面に視て略円形状に形成されており、ＬＥＤ基板４１８に対して各ＬＥＤ４１７を表側（光出射側）から個別に覆うよう、つまり平面に視て各ＬＥＤ４１７と重畳するようそれぞれ取り付けられている。拡散レンズ５０は、ＬＥＤ４１７の発光面４１７ａと対向しており、その対向部分が円弧状に凹んだ形状とされている。そして、この拡散レンズ５０は、ＬＥＤ４１７から発せられた指向性の強い光を拡散させつつ出射させることができる。つまり、ＬＥＤ４１７から発せられた光は、拡散レンズ５０を介することにより指向性が緩和されるので、隣り合うＬＥＤ４１７間の間隔を広くとってもその間の領域が暗部として視認され難くなる。これにより、輝度ムラの発生を抑制しつつもＬＥＤ４１７の設置個数を少なくすることが可能となっている。この拡散レンズ５０は、平面に視てＬＥＤ４１７とほぼ同心となる位置に配されている。
【０１０１】
基板保持部材５１は、ポリカーボネートなどの合成樹脂製とされており、表面が光の反射性に優れた白色を呈する。基板保持部材５１は、図２０及び図２１に示すように、ＬＥＤ基板４１８の板面に沿う本体部と、本体部から裏側、つまりシャーシ４１４の底板４１４ａ側に向けて突出して底板４１４ａに固定される固定部とを備える。基板保持部材５１は、各ＬＥＤ基板４１８に対して複数ずつ取り付けられており、その配置がＬＥＤ４１７に対してＸ軸方向について隣り合うものとされる。なお、複数の基板保持部材５１には、本体部から表側に突出するとともに光学部材４１５を裏側から支持する支持部を有するものが含まれている。なお、反射シート５２には、各拡散レンズ５０を通す孔と、各基板保持部材５１を通す孔とが対応する位置に開口して形成されている。
【０１０２】
このような直下型のバックライト装置４１２を用いた場合であっても、図２０及び図２１に示すように、ＬＥＤ４１７から発せられた青色の単色光が波長変換パネル４４０を透過すると、波長変換部により青色の単色光が緑色の光及び赤色の光へと波長変換されるとともに、透明部を青色の単色光がそのまま透過することで、液晶パネル４１１における緑色画素部には緑色の光が、赤色画素部には赤色の光が、青色画素部には青色の光が、それぞれ供給される。これにより、光の利用効率が改善されるとともに、色再現性に優れた表示を実現することができる。しかも、直下型のバックライト装置４１２では、上記した実施形態１に記載したエッジライト型のバックライト装置１２に比べると、本来的に光の利用効率が高いため、より高輝度の表示を行う場合などに好適となる。
【０１０３】
＜実施形態６＞
本発明の実施形態６を図２３によって説明する。この実施形態６では、上記した実施形態５からバックライト装置５１２の光源を変更したものを示す。なお、上記した実施形態１と同様の構造、作用及び効果について重複する説明は省略する。
【０１０４】
本実施形態に係るバックライト装置５１２には、図２３に示すように、光源としてレーザダイオード５４が備えられている。このレーザダイオード５４は、青色の波長領域（約４２０ｎｍ〜約５００ｎｍ）に属する光、つまり青色の単色光を発光する青色レーザダイオード素子を備えるとともに、光を多重反射により共振する共振器を内蔵している。従って、レーザダイオード５４から発せられる光は、ビーム状で波長及び位相が揃ったコヒーレントな光となっている。レーザダイオード５４は、その発光スペクトルに含まれるピークの半値幅がいずれも１ｎｍ以下となるよう構成されている。レーザダイオード５４は、その発光面５４ａから発せられる光のほぼ全てが光軸であるＺ軸方向に沿って進行し、光軸と交差する方向に進行するものが殆ど生じない配光分布を有している。なお、図２３では、レーザダイオード５４から発せられる光の進行方向を矢線にて図示している。
【０１０５】
このように本実施形態に係るレーザダイオード５４は、上記した実施形態５に記載したＬＥＤ４１７（図２２を参照）に比べると、配光分布が単純なものとなっている。従って、レーザダイオード５４の発光面５４ａを覆う形で取り付けられる拡散レンズ５５０は、上記した実施形態１に記載した拡散レンズ５０（図２２を参照）に比べると、光学設計が容易なものとなり、それにより径寸法が小さなものとなっている。つまり、本実施形態に係る拡散レンズ５５０は、より小型化されている。これにより、レーザダイオード５４及び拡散レンズ５５０が実装されるＬＤ基板（レーザダイオード基板、光源基板）５５の幅寸法をより小さくすることができ、もってＬＤ基板５５に係る製造コストの低廉化を図ることができる。
【０１０６】
＜実施形態７＞
本発明の実施形態７を図２４または図２５によって説明する。この実施形態７では、上記した実施形態１において波長変換パネルに備えられていた波長変換部６４２、透明部６４３、及び遮光部６４４を液晶パネル６１１に内蔵させたものを示す。なお、上記した実施形態１と同様の構造、作用及び効果について重複する説明は省略する。
【０１０７】
本実施形態に係る液晶パネル６１１には、図２４及び図２５に示すように、波長変換部６４２、透明部６４３、及び遮光部６４４が内蔵されている。具体的には、液晶パネル６１１を構成する対向基板６２１における液晶層６２２側の板面には、波長変換部６４２、透明部６４３、及び遮光部６４４が設けられている。それに加えて、対向基板６２１には、波長変換部６４２、透明部６４３、及び遮光部６４４に対して液晶層６２２側に積層される形で表側の偏光板６３０が設けられている。つまり、波長変換部６４２、透明部６４３、及び遮光部６４４は、表側の偏光板６３０に対して表側、つまり液晶層６２２側とは反対側に配されている。従って、裏側の偏光板６２９、液晶層６２２、及び表側の偏光板６３０を順次に透過した光が、波長変換部６４２及び透明部６４３に入射されるようになっている。これにより、液晶層６２２に含まれる液晶分子の配向状態をＴＦＴ６２４により制御することで、各画素部６３４Ｒ，６３４Ｇ，６３４Ｂ毎に透過光量を適切に制御することが可能とされている。波長変換部６４２及び透明部６４３は、液晶パネル６１１に内蔵されることで、シール部６２３により封止されているので、湿気などによって性能劣化し難いものとされている。また、対向電極６３１は、表側の偏光板６３０に対して液晶層６２２側に積層配置されている。このように本実施形態では、上記した実施形態１に記載した波長変換パネル及び支持基板が省略されているので、その組み付けが不要となり、製造コストの低廉化を図る上で好適とされる。なお、図２４では、波長変換部６４２及び透明部６４３の図示を簡略化するとともに、遮光部６４４の図示を省略している。
【０１０８】
続いて、本実施形態に係る作用について説明する。図示しないバックライト装置から液晶パネル６１１に向けて青色の単色光が照射されると、その青色の単色光は、図２５に示すように、裏側の偏光板６２９及びアレイ基板６２０を順次に透過してから、各画素電極６２５などを透過する。各画素電極６２５などを透過した光は、液晶層６２２を透過する過程でその偏光状態が液晶分子の配向状態に応じて変化するものとされる。液晶層６２２を透過した光は、対向電極６３１などを透過した後に、波長変換部６４２及び透明部６４３に入射される。波長変換部６４２に入射した青色の単色光は、各蛍光体層６４２Ｇ，６４２Ｒによりそれぞれ波長変換される。詳しくは、緑色蛍光体層６４２Ｇに入射した青色の単色光は、緑色蛍光体層６４２Ｇに含まれる緑色蛍光体である緑色の量子ドット蛍光体により緑色に属する波長領域の光へと効率的に波長変換される。赤色蛍光体層６４２Ｒに入射した青色の単色光は、赤色蛍光体層６４２Ｒに含まれる赤色蛍光体である赤色の量子ドット蛍光体により赤色に属する波長領域の光へと効率的に波長変換される。一方、透明部６４３に入射した青色の単色光は、透明部６４３にて吸収されたり反射されたりすることが殆どなく、ほぼそのまま透明部６４３を透過する。このようにして、液晶パネル６１１の各画素部６３４Ｒ，６３４Ｇ，６３４Ｂを透過した３色の光によって所定のカラー画像が表示されるようになっている。
【０１０９】
＜実施形態８＞
本発明の実施形態８を図２６によって説明する。この実施形態８では、上記した実施形態２からカラーフィルタ７４６を液晶パネル７１１に内蔵させるよう変更したものを示す。なお、上記した実施形態２と同様の構造、作用及び効果について重複する説明は省略する。
【０１１０】
本実施形態に係る液晶パネル７１１には、図２６に示すように、カラーフィルタ７４６が内蔵されている。具体的には、液晶パネル７１１を構成する対向基板７２１における液晶層７２２側の板面には、カラーフィルタ７４６を構成する各着色層７４６Ｒ，７４６Ｇ，７４６Ｂが設けられている。対向基板７２１には、カラーフィルタ７４６に加えて、隣り合う各着色層７４６Ｒ，７４６Ｇ，７４６Ｂの間を仕切る形で格子状をなす第２遮光部４７が設けられている。第２遮光部４７により各着色層７４６Ｒ，７４６Ｇ，７４６Ｂを透過する光の混色が回避されるようになっている。また、対向電極７３１は、カラーフィルタ７４６及び第２遮光部４７に対して液晶層７２２側に積層配置されている。一方、波長変換パネル７４０を構成する支持基板７４１には、波長変換部７４２（緑色蛍光体層７４２Ｇ及び赤色蛍光体層７４２Ｒ）、透明部７４３、及び遮光部７４４がそれぞれ設けられている。つまり、本実施形態に係る波長変換パネル７４０は、上記した実施形態１に記載した波長変換パネル４０（図７を参照）と同様の構成とされる。これに対し、液晶パネル７１１は、対向基板７２１に３色の着色層７４６Ｒ，７４６Ｇ，７４６からなるカラーフィルタ７４６及び第２遮光部４７が設けられた、汎用品と同様の構成とされている。つまり、本実施形態では、汎用的な液晶パネル７１１を使用しているので、製造コストの低廉化を図りつつ、カラーフィルタ７４６による表示画像の色再現性の向上をも図ることができる。
【０１１１】
＜実施形態９＞
本発明の実施形態９を図２７によって説明する。この実施形態９では、上記した実施形態３から上記した実施形態８と同様にカラーフィルタ８４６を液晶パネル８１１に内蔵させるよう変更したものを示す。なお、上記した実施形態３，８と同様の構造、作用及び効果について重複する説明は省略する。
【０１１２】
本実施形態に係る液晶パネル８１１には、図２７に示すように、黄色着色層８４６Ｙからなるカラーフィルタ８４６が内蔵されている。具体的には、液晶パネル８１１を構成する対向基板８２１における液晶層８２２側の板面には、カラーフィルタ８４６を構成する黄色着色層８４６Ｙ及び第２遮光部８４７が設けられている。それに加えて、対向基板８２１のうち、青色画素部８３４Ｂと重畳する位置には、第２透明部４８が黄色着色層８４６Ｙに対して隣り合う形で設けられている。この第２透明部４８により対向電極８３１などの平坦性が担保されている。隣り合う第２透明部４８と黄色着色層８４６Ｙとの間は、第２遮光部８４７により仕切られている。
【０１１３】
＜実施形態１０＞
本発明の実施形態１０を図２８によって説明する。この実施形態１０では、上記した実施形態１から波長変換パネル９４０の配置を変更したものを示す。なお、上記した実施形態１と同様の構造、作用及び効果について重複する説明は省略する。
【０１１４】
本実施形態に係る波長変換パネル９４０は、図２８に示すように、液晶パネル９１１に対して表側、つまりバックライト装置側とは反対側（出光側）に重なる形で取り付けられている。波長変換パネル９４０を構成する支持基板９４１における裏側の板面には、波長変換部９４２（緑色蛍光体層９４２Ｇ及び赤色蛍光体層９４２Ｒ）、透明部９４３、及び遮光部９４４がそれぞれ設けられている。波長変換パネル９４０に設けられた波長変換部９４２、透明部９４３、及び遮光部９４４は、液晶パネル９１１における表側の偏光板９３０と支持基板９４１との間に挟み込まれるものとされる。
【０１１５】
続いて、本実施形態に係る作用について説明する。図示しないバックライト装置から液晶パネル９１１に向けて青色の単色光が照射されると、その青色の単色光は、裏側の偏光板９２９及びアレイ基板９２０を順次に透過してから、各画素電極９２５などを透過する。各画素電極９２５などを透過した光は、液晶層９２２を透過する過程でその偏光状態が液晶分子の配向状態に応じて変化するものとされる。液晶層９２２を透過した光は、対向電極９３１などを透過した後に、表側の偏光板９３０を透過する。このようにして液晶パネル９１１を透過した光は、波長変換パネル９４０の波長変換部９４２及び透明部９４３に入射される。波長変換部９４２に入射した青色の単色光は、各蛍光体層９４２Ｇ，９４２Ｒによりそれぞれ波長変換される。詳しくは、緑色蛍光体層９４２Ｇに入射した青色の単色光は、緑色蛍光体層９４２Ｇに含まれる緑色蛍光体である緑色の量子ドット蛍光体により緑色に属する波長領域の光へと効率的に波長変換される。赤色蛍光体層９４２Ｒに入射した青色の単色光は、赤色蛍光体層９４２Ｒに含まれる赤色蛍光体である赤色の量子ドット蛍光体により赤色に属する波長領域の光へと効率的に波長変換される。一方、透明部９４３に入射した青色の単色光は、透明部９４３にて吸収されたり反射されたりすることが殆どなく、ほぼそのまま透明部９４３を透過する。このようにして、液晶パネル９１１の各画素部９３４Ｒ，９３４Ｇ，９３４Ｂを透過した３色の光によって所定のカラー画像が表示されるようになっている。
【０１１６】
＜実施形態１１＞
本発明の実施形態１１を図２９によって説明する。この実施形態１１では、上記した実施形態２から上記した実施形態１０と同様に波長変換パネル１０４０の配置を変更したものを示す。なお、上記した実施形態２，１０と同様の構造、作用及び効果について重複する説明は省略する。
【０１１７】
本実施形態に係る波長変換パネル１０４０は、図２９に示すように、液晶パネル１０１１に対して表側、つまりバックライト装置側とは反対側（出光側）に重なる形で取り付けられている。波長変換パネル１０４０を構成する支持基板１０４１における裏側の板面には、カラーフィルタ１０４６（赤色着色層１０４６Ｒ、緑色着色層１０４６Ｇ、及び青色着色層１０４６Ｂ）及び遮光部１０４４が設けられるとともに、カラーフィルタ１０４６に対して裏側に積層される形で波長変換部１０４２（緑色蛍光体層１０４２Ｇ及び赤色蛍光体層１０４２Ｒ）及び透明部１０４３が設けられている。波長変換パネル１０４０に設けられた波長変換部１０４２、透明部１０４３、遮光部１０４４、及びカラーフィルタ１０４６は、液晶パネル１０１１における表側の偏光板１０３０と支持基板１０４１との間に挟み込まれるものとされる。本実施形態の作用について簡単に説明すると、液晶パネル１０１１を透過した光（青色の単色光）は、先に波長変換部１０４２にて波長変換されるか、透明部１０４３を透過された後に、カラーフィルタ１０４６の各着色層１０４６Ｒ，１０４６Ｇ，１０４６Ｂを透過することで、色純度の向上が図られるようになっている。
【０１１８】
＜実施形態１２＞
本発明の実施形態１２を図３０によって説明する。この実施形態１２では、上記した実施形態３から上記した実施形態１１と同様に波長変換パネル１１４０の配置を変更したものを示す。なお、上記した実施形態３，１１と同様の構造、作用及び効果について重複する説明は省略する。
【０１１９】
本実施形態に係る波長変換パネル１１４０は、図３０に示すように、液晶パネル１１１１に対して表側、つまりバックライト装置側とは反対側（出光側）に重なる形で取り付けられている。波長変換パネル１１４０を構成する支持基板１１４１における裏側の板面には、カラーフィルタ１１４６（黄色着色層１１４６Ｙ）、透明部１１４３、及び遮光部１１４４が設けられるとともに、カラーフィルタ１１４６に対して裏側に積層される形で波長変換部１１４２（緑色蛍光体層１１４２Ｇ及び赤色蛍光体層１１４２Ｒ）が設けられている。このような構成によっても、上記した実施形態３，１１と同様の作用及び効果が得られる。
【０１２０】
＜実施形態１３＞
本発明の実施形態１３を図３１によって説明する。この実施形態１３では、上記した実施形態１に記載した液晶パネル１１に代えて、ＭＥＭＳパネル６０を用いたものを示す。なお、上記した実施形態１と同様の構造、作用及び効果について重複する説明は省略する。
【０１２１】
本実施形態では、画像を表示するための表示パネルとしてＭＥＭＳ（Micro Electro Mechanical Systems）パネル６０を備えたＭＥＭＳ表示装置６１について例示する。このＭＥＭＳパネル６０は、表示画素１２３４の各画素部１２３４Ｒ，１２３４Ｇ，１２３４Ｂを構成する微小な機械式シャッタ６０ａが多数個マトリクス状に平面配置されてなり、各機械式シャッタ６０ａの開閉を個別に制御することで、各画素部１２３４Ｒ，１２３４Ｇ，１２３４Ｂ毎に透過光量を調整し、もって所定の階調の画像を表示することができるものとされる。つまり、このＭＥＭＳパネル６０は、上記した実施形態１に記載した液晶パネル１１のような偏光板２９，３０（図７を参照）を必要としない表示原理を有している、と言える。波長変換パネル１２４０は、ＭＥＭＳパネル６０に対して裏側に重なる形で取り付けられており、支持基板１２４１とＭＥＭＳパネル６０との間に、波長変換部１２４２（緑色蛍光体層１２４２Ｇ及び赤色蛍光体層１２４２Ｒ）、透明部１２４３、及び遮光部１２４４が挟み込まれている。このような構成によっても、上記した実施形態１と同様の作用及び効果が得られる。
【０１２２】
＜実施形態１４＞
本発明の実施形態１４を図３２によって説明する。この実施形態１４では、上記した実施形態２からＬＥＤ１３１７の構成を変更したものを示す。なお、上記した実施形態２と同様の構造、作用及び効果について重複する説明は省略する。
【０１２３】
本実施形態に係るＬＥＤ１３１７は、図３２に示すように、発光素子として青色ＬＥＤ素子１３３５に加えて、緑色ＬＥＤ素子３８を備えている。緑色ＬＥＤ素子３８は、緑色に属する波長領域（約５００ｎｍ〜約５７０ｎｍ）に含まれる波長の緑色の単色光を発光するものとされる。つまり、ＬＥＤ１３１７の発光光は、この青色ＬＥＤ素子１３３５から発せられる青色の単色光と、緑色ＬＥＤ素子３８から発せられる緑色の単色光と、の２色とされている。青色ＬＥＤ素子１３３５の発光光は、表示画素を構成する青色画素部が呈する青色と同色とされるのに対し、緑色ＬＥＤ素子３８の発光光は、表示画素を構成する緑色画素部が呈する緑色と同色とされる。緑色ＬＥＤ素子３８は、緑色の光の発光スペクトルに含まれるピークのピーク波長が緑色の光の波長範囲の中の約５３０ｎｍとされ且つピークの半値幅が、青色ＬＥＤ素子１３３５と同じ程度（１８ｎｍ程度）とされるのが好ましい。青色ＬＥＤ素子１３３５及び緑色ＬＥＤ素子３８は、ケース１３３７内に収容されるとともに、封止材１３３６により封止されている。
【０１２４】
このような構成とされるＬＥＤ１３１７に組み合わせて用いられる波長変換パネル及び液晶パネルは、上記した実施形態２に記載した通りの構成であり、以下、図１１を参照しつつ作用について説明する。ＬＥＤ１３１７から発せられた２色の光は、波長変換パネルの波長変換部（緑色蛍光体層及び赤色蛍光体層）に入射されると、上記２色の光のうちの青色の単色光が波長変換されて緑色の光や赤色の光となる。ＬＥＤ１３１７から発せられた２色の光のうち、緑色の単色光については、波長変換部にて波長変換されることなく波長変換部を透過する。波長変換部を透過した光がカラーフィルタを構成する緑色着色層に入射されると、緑色着色層では波長変換部にて波長変換されなかった青色の単色光が吸収されるものの、波長変換部の緑色蛍光体層にて波長変換された緑色の光やＬＥＤ１３１７から発せられた緑色の光については緑色着色層を透過される。このように、緑色画素部を透過する緑色の光は、ＬＥＤ１３１７から発せられた緑色の光と、緑色蛍光体層にて青色の光を波長変換して得られた緑色の光と、を含んでいるから、その透過光量がより多くなるのに加えて、緑色着色層を透過することで色純度が高いものとなる。これに対し、波長変換部を透過した光がカラーフィルタを構成する赤色着色層に入射されると、赤色着色層では波長変換部にて波長変換されなかった青色の単色光やＬＥＤ１３１７から発せられた緑色の光が吸収されるものの、波長変換部の赤色蛍光体層にて波長変換された赤色の光については赤色着色層を透過される。これにより、赤色画素部を透過する赤色の光の色純度が高いものとされる。
【０１２５】
一方、ＬＥＤ１３１７から発せられた２色の光は、波長変換パネルの透明部に入射されると、そのまま透明部を透過する。透明部を透過した光がカラーフィルタを構成する青色着色層に入射されると、青色着色層においてはＬＥＤ１３１７から発せられた緑色の単色光が吸収されるものの、ＬＥＤ１３１７から発せられた青色の光については青色着色層を透過される。このように、青色画素部を透過する青色の光は、ＬＥＤ１３１７から発せられた２色の光のうちの青色の光とされているから、仮に白色光を発する光源を用いてカラーフィルタによって各画素部が呈する色とは異なる色の光を全て吸収するようにした場合に比べると、透過光量が多く確保されるのに加えて、青色着色層を透過することで色純度が高いものとなる。このようにして、液晶パネルの各画素部を透過した３色の光によって所定のカラー画像が表示されるようになっており、そのカラー画像に係る輝度及び色再現性がいずれも高いものとされる。特に、本実施形態では、緑色画素部を透過する緑色の光の透過光量が多く確保されているので、極めて高輝度のカラー画像を表示することができる。
【０１２６】
以上説明したように本実施形態に係る液晶表示装置（表示装置）によれば、画像を表示する液晶パネル（表示パネル）と、表示パネルに備えられて互いに異なる色を呈する少なくとも３色の画素部と、少なくとも３色の画素部に含まれる２色の画素部と同色となる２色の光を発するＬＥＤ（光源）１３１７と、少なくとも３色の画素部のそれぞれと重畳する形で配されるとともに、重畳する画素部が呈する色の光を選択的に透過する少なくとも３色の着色層からなるカラーフィルタ（波長選択性透光部）と、少なくとも３色の画素部に含まれてＬＥＤ１３１７から発せられる２色の光とは異なる色を呈する赤色画素部と重畳する形で少なくとも配されるとともに、ＬＥＤ１３１７からの光の少なくとも一部を波長変換し、その波長変換した光に、重畳する赤色画素部の呈する色の光が含まれるものとされる波長変換部と、を備える。
【０１２７】
このような構成によれば、ＬＥＤ１３１７から発せられた２色の光は、液晶パネルに備えられて互いに異なる色を呈する少なくとも３色の画素部のうち、少なくともＬＥＤ１３１７から発せられる２色の光とは異なる色を呈する赤色画素部においては、波長変換部の赤色蛍光体層により上記光の少なくとも一部である青色の光が波長変換されることで、その赤色画素部の透過光に当該赤色画素部が呈する色の光である赤色の光が含まれるものとされる。ここで、ＬＥＤ１３１７から発せられる２色の光に、波長変換部により波長変換されない光（青色の光や緑色の光）が含まれていた場合は、その光が、ＬＥＤ１３１７から発せられる２色の光とは異なる色を呈する赤色画素部と重畳するカラーフィルタの赤色着色層によって吸収されることで、当該赤色画素部の透過光に係る色純度が高く保たれる。
【０１２８】
一方、少なくとも３色の画素部のうち、ＬＥＤ１３１７から発せられる２色の光と同色を呈する２色の画素部である緑色画素部及び青色画素部に関しては、一方の画素部である緑色画素部においては、その一方の画素部である緑色画素部と重畳するカラーフィルタの緑色着色層によって他方の画素部である青色画素部が呈する色の光である青色の光が吸収されることで、一方の画素部である緑色画素部の透過光に係る色純度が高く保たれる。これに対し、他方の画素部である青色画素部においては、その他方の画素部である青色画素部と重畳するカラーフィルタの青色着色層によって一方の画素部である緑色画素部が呈する色の光である緑色の光が吸収されることで、他方の画素部である青色画素部の透過光に係る色純度が高く保たれる。このように、ＬＥＤ１３１７から発せられる２色の光と同色を呈する２色の画素部である緑色画素部及び青色画素部においては、それぞれカラーフィルタによって異なる色の光が吸収されるようになっているから、仮に白色光を発する光源を用いてカラーフィルタによって各画素部が呈する色とは異なる色の光を全て吸収するようにした場合に比べると、光の損失が低いものとなり、もって光の利用効率が向上する。
【０１２９】
＜実施形態１５＞
本発明の実施形態１５を図３３によって説明する。この実施形態１５では、上記した実施形態２からＬＥＤ１４１７の構成を変更したものを示す。なお、上記した実施形態２と同様の構造、作用及び効果について重複する説明は省略する。
【０１３０】
本実施形態に係るＬＥＤ１４１７は、図３３に示すように、発光素子として青色ＬＥＤ素子１４３５に加えて、赤色ＬＥＤ素子３９を備えている。赤色ＬＥＤ素子３９は、赤色に属する波長領域（約６００ｎｍ〜約７８０ｎｍ）に含まれる波長の赤色の単色光を発光するものとされる。つまり、ＬＥＤ１４１７の発光光は、この青色ＬＥＤ素子１４３５から発せられる青色の単色光と、赤色ＬＥＤ素子３９から発せられる赤色の単色光と、の２色とされている。青色ＬＥＤ素子１４３５の発光光は、表示画素を構成する青色画素部が呈する青色と同色とされるのに対し、赤色ＬＥＤ素子３９の発光光は、表示画素を構成する赤色画素部が呈する赤色と同色とされる。赤色ＬＥＤ素子３９は、赤色の光の発光スペクトルに含まれるピークのピーク波長が赤色の光の波長範囲の中の約６１０ｎｍとされ且つピークの半値幅が、青色ＬＥＤ素子１４３５と同じ程度（１８ｎｍ程度）とされるのが好ましい。青色ＬＥＤ素子１４３５及び赤色ＬＥＤ素子３９は、ケース１４３７内に収容されるとともに、封止材１４３６により封止されている。
【０１３１】
このような構成とされるＬＥＤ１４１７に組み合わせて用いられる波長変換パネル及び液晶パネルは、上記した実施形態２に記載した通りの構成であり、以下、図１１を参照しつつ作用について説明する。ＬＥＤ１４１７から発せられた２色の光は、波長変換パネルの波長変換部（緑色蛍光体層及び赤色蛍光体層）に入射されると、上記２色の光のうちの青色の単色光が波長変換されて緑色の光や赤色の光となる。ＬＥＤ１４１７から発せられた２色の光のうち、赤色の単色光については、波長変換部にて波長変換されることなく波長変換部を透過する。波長変換部を透過した光がカラーフィルタを構成する赤色着色層に入射されると、赤色着色層では波長変換部にて波長変換されなかった青色の単色光が吸収されるものの、波長変換部の赤色蛍光体層にて波長変換された赤色の光やＬＥＤ１４１７から発せられた赤色の光については赤色着色層を透過される。このように、赤色画素部を透過する赤色の光は、ＬＥＤ１４１７から発せられた赤色の光と、赤色蛍光体層にて青色の光を波長変換して得られた赤色の光と、を含んでいるから、その透過光量がより多くなるのに加えて、赤色着色層を透過することで色純度が高いものとなる。これに対し、波長変換部を透過した光がカラーフィルタを構成する緑色着色層に入射されると、緑色着色層では波長変換部にて波長変換されなかった青色の単色光やＬＥＤ１４１７から発せられた赤色の光が吸収されるものの、波長変換部の緑色蛍光体層にて波長変換された緑色の光については緑色着色層を透過される。これにより、緑色画素部を透過する緑色の光の色純度が高いものとされる。
【０１３２】
一方、ＬＥＤ１４１７から発せられた２色の光は、波長変換パネルの透明部に入射されると、そのまま透明部を透過する。透明部を透過した光がカラーフィルタを構成する青色着色層に入射されると、青色着色層においてはＬＥＤ１４１７から発せられた赤色の単色光が吸収されるものの、ＬＥＤ１４１７から発せられた青色の光については青色着色層を透過される。このように、青色画素部を透過する青色の光は、ＬＥＤ１４１７から発せられた２色の光のうちの青色の光とされているから、仮に白色光を発する光源を用いてカラーフィルタによって各画素部が呈する色とは異なる色の光を全て吸収するようにした場合に比べると、透過光量が多く確保されるのに加えて、青色着色層を透過することで色純度が高いものとなる。このようにして、液晶パネルの各画素部を透過した３色の光によって所定のカラー画像が表示されるようになっており、そのカラー画像に係る輝度及び色再現性がいずれも高いものとされる。
【０１３３】
＜他の実施形態＞
本発明は上記記述及び図面によって説明した実施形態に限定されるものではなく、例えば次のような実施形態も本発明の技術的範囲に含まれる。
（１）上記した各実施形態では、波長変換部を構成する各蛍光体層に含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ２等）などを単独で用いることも可能である。また、コア・シェル型やコア型の量子ドット蛍光体以外にも、合金型の量子ドット蛍光体を用いることも可能である。
【０１３４】
（２）上記した各実施形態では、波長変換部を構成する各蛍光体層に含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０１３５】
（３）上記した各実施形態では、波長変換部を構成する各蛍光体層に量子ドット蛍光体を含有させた構成のものを例示したが、他の種類の蛍光体を各蛍光体層に含有させるようにしても構わない。具体的には、例えば、サイアロン系の蛍光体（β−サイアロン系の蛍光体やα−サイアロン系の蛍光体など）、複フッ化物蛍光体（マンガン付活のケイフッ化カリウム（Ｋ２ＴｉＦ６）など）、カズン系の蛍光体、ユーロピウム系の蛍光体、セレン系の蛍光体、ＹＡＧ系の蛍光体などを用いることができる。
【０１３６】
（４）上記した（３）以外にも、各蛍光体層に含有させる蛍光体として有機蛍光体を用いることができる。有機蛍光体としては、例えばトリアゾールまたはオキサジアゾールを基本骨格とした低分子の有機蛍光体を用いることができる。
【０１３７】
（５）上記した（３），（４）以外にも、各蛍光体層に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１３８】
（６）上記した各実施形態以外にも、ＬＥＤの発光スペクトル（ピーク波長の数値、ピークの半値幅の数値など）、蛍光体層に含まれる蛍光体の発光スペクトル（ピーク波長の数値、ピークの半値幅の数値など）、及びカラーフィルタの各着色層の透過スペクトル（ピーク波長の数値、ピークの半値幅の数値など）に関しては、適宜に変更することが可能である。
【０１３９】
（７）上記した各実施形態（実施形態７を除く）では、波長変換パネルを液晶パネルに取り付けるようにした場合を示したが、波長変換パネルをバックライト装置に取り付けるようにすることも可能である。具体的には、波長変換パネルを光学部材や導光板などに重なる形で取り付けることができる。
【０１４０】
（８）上記した各実施形態では、ＬＥＤが少なくとも青色の単色光を発する場合を示したが、青色以外の単色光、例えば緑色の単色光や赤色の単色光を発するＬＥＤを用いることも可能である。その場合には、例えば、緑色の単色光や赤色の単色光を励起光として青色の光を発光するアップコンバージョン型の青色蛍光体からなる青色蛍光体層を追加して設けるようにすればよい。ここで、アップコンバージョン型の蛍光体は、相対的に長波長で且つ低いエネルギーを持つ励起光を、相対的に短波長で且つ高いエネルギーを持つ蛍光光に変換するものである。
【０１４１】
（９）上記した各実施形態では、表示画素が３色または４色の画素部からなるものを例示したが、赤色、緑色、青色、及び黄色とは別の色の画素部を追加して、表示画素を４色以上または５色以上の画素部により構成するようにしてもよい。その場合、波長変換部に、追加する画素部と同色の色の光を発光する蛍光体層を、追加する画素部と重畳する形で配置するのが好ましい。さらには、カラーフィルタに、追加する画素部と同色の色の光を選択的に透過する着色層を、追加する画素部と重畳する形で配置するのが好ましい。追加する画素部としては、例えばシアン色を呈するシアン色画素部などが好ましい。また、波長選択性を有さずに全可視光線を透過する透明画素部を追加することも可能である。
【０１４２】
（１０）上記した各実施形態では、表示画素を構成する各画素部の面積比率が互いに等しくなる場合を例示したが、各画素部の面積比率は適宜に変更可能である。その場合、変更される各画素部の面積比率に適合するよう、波長変換部を構成する各蛍光体層の面積比率やカラーフィルタを構成する各着色層の面積比率を変更すればよい。
【０１４３】
（１１）上記した各実施形態では、透明部が透明な合成樹脂材料からなる場合を示したが、透明部が空気層からなるようにしてもよい。
【０１４４】
（１２）上記した各実施形態では、波長変換パネルの支持基板をガラス製とした場合を示したが、合成樹脂製の支持基板を用いることも可能である。同様に、液晶パネルを構成するアレイ基板及び対向基板を合成樹脂製とすることも可能である。
【０１４５】
（１３）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１４６】
（１４）上記した実施形態２，８，１１の変形例として、カラーフィルタから青色着色層を省略することも可能であり、その場合は代わりに透明部を設けるのが好ましい。同様に、緑色着色層を省略したり、赤色着色層を省略したりすることも可能であり、その場合は代わりに透明部を設けるのが好ましい。つまり、カラーフィルタは、各色の画素部の全てに設けられずともよく、いずれかの色の画素部に対して選択的に配置することも可能である。なお、緑色着色層や赤色着色層の代わりに、実施形態３に記載した黄色着色層を設けることも可能である。
【０１４７】
（１５）上記した実施形態２，８，１１では、波長変換部に赤色蛍光体層及び緑色蛍光体層が含まれる構成のものを示したが、これら赤色蛍光体層及び緑色蛍光体層のいずか一方または両方に代えて、青色の光を励起光として黄色の光を発する黄色蛍光体を含む黄色蛍光体層を設けることも可能である。その場合には、黄色蛍光体層にて発せられた黄色の光がカラーフィルタの赤色着色層や緑色着色層を透過することで、赤色の光や緑色の光を得ることができる。
【０１４８】
（１６）上記した実施形態２，１１の変形例として、透明部を省略してその代わりに透明部の厚さの分だけ青色着色層の厚さを増加させるようにすることも可能である。
【０１４９】
（１７）上記した実施形態３，９，１２の変形例として、カラーフィルタに青色着色層を追加することも可能である。その場合、実施形態３，１２においては、青色着色層の厚みの分だけ、透明部の厚みを薄くすればよく、また実施形態９においては第２透明部を省略すればよい。
【０１５０】
（１８）上記した実施形態３，９，１２の変形例として、カラーフィルタから緑色画素部と重畳する黄色着色層を省略したり、赤色画素部と重畳する黄色着色層を省略したりすることも可能であり、その場合は代わりに透明部を設けるのが好ましい。つまり、カラーフィルタは、各色の画素部の全てに設けられずともよく、いずれかの色の画素部に対して選択的に配置することも可能である。なお、黄色着色層の代わりに、実施形態２に記載した緑色着色層や赤色着色層を設けることも可能である。
【０１５１】
（１９）上記した実施形態３，１２では、透明部が波長変換部の厚みとカラーフィルタの厚みとを足し合わせた厚みの１層構造とされる場合を示したが、透明部を、下層側透明部と上層側透明部とを積層してなる２層構造とすることも可能である。その場合、下層側透明部の厚みを波長変換部の厚みと同等にし、上層側透明部の厚みをカラーフィルタの厚みと同等にすることも可能である。
【０１５２】
（２０）上記した実施形態４に記載した構成に、実施形態２に記載した構成や実施形態３に記載した構成を組み合わせることも可能である。その場合、カラーフィルタに、黄色蛍光体層（黄色画素部）と重畳する形で黄色着色層を設けるようにするのが好ましい。また、実施形態４に記載した構成に、実施形態５〜１５に記載した構成を適宜に組み合わせることも可能である。
【０１５３】
（２１）上記した実施形態５，６に記載した構成に、実施形態２，３，７〜１５に記載した構成を適宜に組み合わせることも可能である。
【０１５４】
（２２）上記した実施形態７では、波長変換部を構成する各蛍光体層を液晶パネルに内蔵させるようにしたものを示したが、上記した実施形態２，３に記載したカラーフィルタを構成する各着色層を、各蛍光体層と共に液晶パネルに内蔵させるようにすることも勿論可能である。その場合、各着色層及び各蛍光体層を共に対向基板側に設けるとともに相互に積層する形で配置するのが好ましい。
【０１５５】
（２３）上記した実施形態７に記載した構成に、実施形態８，９に記載した構成を適宜に組み合わせることも可能である。また、実施形態７に記載した構成に、実施形態１４，１５に記載した構成を適宜に組み合わせることも可能である。
【０１５６】
（２４）上記した実施形態８に記載した構成に、実施形態１１に記載した構成を適宜に組み合わせることも可能である。また、実施形態８に記載した構成に、実施形態１４，１５に記載した構成を適宜に組み合わせることも可能である。
【０１５７】
（２５）上記した実施形態９に記載した構成に、実施形態１２に記載した構成を適宜に組み合わせることも可能である。また、実施形態９に記載した構成に、実施形態１４，１５に記載した構成を適宜に組み合わせることも可能である。
【０１５８】
（２６）上記した実施形態１０〜１２においては、波長変換パネルの支持基板が液晶パネルに対して光出射側に配置されることになるので、支持基板を強化ガラス製として耐衝撃性能を向上させるのが好ましい。また、実施形態１０〜１２に記載した構成に、実施形態１４，１５に記載した構成を適宜に組み合わせることも可能である。
【０１５９】
（２７）上記した実施形態１３の変形例として、ＭＥＭＳパネルに対して表側に波長変換パネルを重ねて配置することも可能である。それ以外にも、波長変換部、透明部、及び遮光部をＭＥＭＳパネルに内蔵させるようにし、支持基板を省略することも可能である。また、実施形態１３に記載した構成に、実施形態８，９，１４，１５に記載した構成を適宜に組み合わせることも可能である。
【０１６０】
（２８）上記した実施形態１４の変形例として、波長変換部から緑色蛍光体層を省略して代わりに透明部を設けるようにすることも可能である。
【０１６１】
（２９）上記した実施形態１４の変形例として、カラーフィルタから緑色着色層を省略して代わりに透明部を設けるようにすることも可能である。
【０１６２】
（３０）上記した実施形態１５の変形例として、波長変換部から赤色蛍光体層を省略して代わりに透明部を設けるようにすることも可能である。
【０１６３】
（３１）上記した実施形態１５の変形例として、カラーフィルタから赤色着色層を省略して代わりに透明部を設けるようにすることも可能である。
【０１６４】
（３２）上記した実施形態１４，１５の変形例として、ＬＥＤが緑色の単色光と赤色の単色光との２色の光を発する構成とすることも可能である。その場合、波長変換部に、緑色の単色光または赤色の単色光を励起光として青色の光を発光するアップコンバージョン型の青色蛍光体からなる青色蛍光体層を設けるようにすればよい。このとき、波長変換部から赤色蛍光体層と緑色蛍光体層とのいずれか一方または両方を省略して代わりに透明部を設けるようにすることも可能である。
【０１６５】
（３３）上記した実施形態１４の変形例として、波長変換部に、ＬＥＤから発せられる２色の光（青色の光及び緑色の光）のうちの緑色の単色光を励起光として青色の光を発光するアップコンバージョン型の青色蛍光体からなる青色蛍光体層を追加して設けるようにすることも可能である。この青色蛍光体層は、青色画素部と重畳する形で配置される。
【０１６６】
（３４）上記した実施形態１５の変形例として、波長変換部に、ＬＥＤから発せられる２色の光（青色の光及び赤色の光）のうちの赤色の単色光を励起光として青色の光を発光するアップコンバージョン型の青色蛍光体からなる青色蛍光体層を追加して設けるようにすることも可能である。この青色蛍光体層は、青色画素部と重畳する形で配置される。
【０１６７】
（３５）上記した実施形態１４，１５では、カラーフィルタに、緑色蛍光体層（緑色画素部）と重畳する緑色着色層と、赤色蛍光体層（赤色画素部）と重畳する赤色着色層と、が含まれる構成のものを示したが、これら緑色着色層及び赤色着色層に代えて、上記した実施形態３に記載したような黄色着色層をそれぞれ設けるようにすることも可能である。さらには、実施形態１４においては、赤色着色層に代えて黄色着色層を設けつつ緑色着色層を省略することも可能であり、同様に、実施形態１５においては緑色着色層に代えて黄色着色層を設けつつ赤色着色層を省略することも可能である。
【０１６８】
（３６）上記した各実施形態（実施形態６を除く）では、頂面発光型のＬＥＤを用いた場合を例示したが、ＬＥＤ基板の実装面に対して隣接する側面が発光面となる側面発光型のＬＥＤを用いることも可能である。
【０１６９】
（３７）上記した各実施形態（実施形態６を除く）以外にも、ＬＥＤにおける機械的な構造（ケースの形状やリードフレームの形状など）は適宜に変更可能である。
【０１７０】
（３８）上記した各実施形態（実施形態５，６を除く）では、エッジライト型のバックライト装置において、ＬＥＤ基板（ＬＥＤ）がシャーシ（導光板）における両長辺側の端部に一対配されるものを示したが、例えばＬＥＤ基板（ＬＥＤ）がシャーシ（導光板）における両短辺側の端部に一対配されるものも本発明に含まれる。
【０１７１】
（３９）上記した（３８）以外にも、ＬＥＤ基板（ＬＥＤ）をシャーシ（導光板）における両長辺及び両短辺の各端部に対して一対ずつ配したものや、逆にＬＥＤ基板（ＬＥＤ）をシャーシ（導光板）における一方の長辺または一方の短辺の端部に対してのみ１つ配したものも本発明に含まれる。
【０１７２】
（４０）上記した実施形態５，６に記載した直下型のバックライト装置において、ＬＥＤ基板（ＬＤ基板）におけるＬＥＤ（レーザダイオード）の設置数や配列ピッチ、シャーシにおけるＬＥＤ基板（ＬＤ基板）の設置数、ＬＥＤ基板（ＬＤ基板）の大きさなどは適宜に変更可能である。
【０１７３】
（４１）上記した実施形態５，６では、直下型のバックライト装置において、全てのＬＥＤ（レーザダイオード）に対して個別に拡散レンズを取り付けるようにしたものを例示したが、一部のＬＥＤ（レーザダイオード）にのみ拡散レンズを取り付けるようにしても構わない。
【０１７４】
（４２）上記した各実施形態では、光源としてＬＥＤやレーザダイオードを用いたものを示したが、有機ＥＬなどの他の光源を用いることも可能である。
【０１７５】
（４３）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１７６】
（４４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１７７】
（４５）上記した各実施形態では、透過型の液晶表示装置を例示したが、それ以外にも反射型の液晶表示装置や半透過型の液晶表示装置にも本発明は適用可能である。
【０１７８】
（４６）上記した各実施形態では、表示パネルとして液晶パネルを用いた液晶表示装置やＭＥＭＳパネルを用いたＭＥＭＳ表示装置を例示したが、他の種類の表示パネルを用いた表示装置にも本発明は適用可能である。
【０１７９】
（４７）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１８０】
１０，３１０，４１０…液晶表示装置（表示装置）、１０Ｔ，３１０Ｔ…チューナー（受信部）、１０ＴＶ，３１０ＴＶ…テレビ受信装置、１１，１１１，２１１，３１１，４１１，６１１，７１１，８１１，９１１，１０１１，１１１１…液晶パネル（表示パネル）、１７，４１７，１３１７，１４１７…ＬＥＤ（光源）、２０，６２０，９２０…アレイ基板（基板）、２１，６２１，７２１，９２１…対向基板（基板）、２２，６２２，７２２，８２２，９２２…液晶層、２９，３０，６２９，６３０，９２９，９３０，１０３０…偏光板（偏光層）、３４Ｂ，１３４Ｂ，２３４Ｂ，３３４Ｂ，６３４Ｂ，８３４Ｂ，９３４Ｂ，１２３４Ｂ…青色画素部（画素部）、３４Ｇ，１３４Ｇ，２３４Ｇ，３３４Ｇ，６３４Ｇ，９３４Ｇ，１２３４Ｇ…緑色画素部（画素部）、３４Ｒ，１３４Ｒ，２３４Ｒ，３３４Ｒ，６３４Ｒ，９３４Ｒ，１２３４Ｒ…赤色画素部（画素部）、４１，１４１，２４１，３４１，７４１，９４１，１０４１，１１４１，１２４１…支持基板、４２，１４２，２４２，３４２，６４２，７４２，９４２，１０４２，１１４２，１２４２…波長変換部、４２Ｇ，１４２Ｇ，２４２Ｇ，３４２Ｇ，６４２Ｇ，７４２Ｇ，９４２Ｇ，１０４２Ｇ，１１４２Ｇ，１２４２Ｇ…緑色蛍光体層（緑色波長変換部）、４２Ｒ，１４２Ｒ，２４２Ｒ，３４２Ｒ，６４２Ｒ，７４２Ｒ，９４２Ｒ，１０４２Ｒ，１１４２Ｒ，１２４２Ｒ…赤色蛍光体層（赤色波長変換部）、４３，１４３，２４３，３４３，６４３，７４３，９４３，１０４３，１１４３，１２４３…透明部、４５…シール部（封止部）、４６，２４６，７４６，８４６，１０４６，１１４６…カラーフィルタ（波長選択性透光部）、４６Ｂ，７４６Ｂ，１０４６Ｂ…青色着色層（青色選択性透光部）、４６Ｇ，７４６Ｇ，１０４６Ｇ…緑色着色層（緑色選択性透光部）、４６Ｒ，７４６Ｒ，１０４６Ｒ…赤色着色層（赤色選択性透光部）、５４…レーザダイオード（光源）、６０…ＭＥＭＳパネル（表示パネル）、６１…ＭＥＭＳ表示装置（表示装置）、２４６Ｙ，８４６Ｙ，１１４６Ｙ…黄色着色層（黄色選択性透光部）、３４２Ｙ…黄色蛍光体層（黄色波長変換部）、６２３…シール部（封止部）
【図１】
2016058586.tif 000003
【図２】
2016058586.tif 000004
【図３】
2016058586.tif 000005
【図４】
2016058586.tif 000006
【図５】
2016058586.tif 000007
【図６】
2016058586.tif 000008
【図７】
2016058586.tif 000009
【図８】
2016058586.tif 000010
【図９】
2016058586.tif 000011
【図１０】
2016058586.tif 000012
【図１１】
2016058586.tif 000013
【図１２】
2016058586.tif 000014
【図１３】
2016058586.tif 000015
【図１４】
2016058586.tif 000016
【図１５】
2016058586.tif 000017
【図１６】
2016058586.tif 000018
【図１７】
2016058586.tif 000019
【図１８】
2016058586.tif 000020
【図１９】
2016058586.tif 000021
【図２０】
2016058586.tif 000022
【図２１】
2016058586.tif 000023
【図２２】
2016058586.tif 000024
【図２３】
2016058586.tif 000025
【図２４】
2016058586.tif 000026
【図２５】
2016058586.tif 000027
【図２６】
2016058586.tif 000028
【図２７】
2016058586.tif 000029
【図２８】
2016058586.tif 000030
【図２９】
2016058586.tif 000031
【図３０】
2016058586.tif 000032
【図３１】
2016058586.tif 000033
【図３２】
2016058586.tif 000034
【図３３】
2016058586.tif 000035